(57)【要約】【課題】  電子機器を提供する。【解決手段】  電子機器は、ディスプレイ上におけるグラフィカル・ユーザー・インターフェースの表示を制御すべく構成されたプロセッサを含み、更に、プロセッサがメニューを提供すべく設定するための命令を含むコンピュータ可読媒体を含んでいる。メニューは複数のリンクを含み、リンクはサブメニューに対応する少なくとも１個のリンクを含み、サブメニューは更に複数のリンクを含んでいる。プロセッサは、ユーザー入力を監視して、第１のユーザー入力が行なわれた時点でメニューを表示し、メニュー内で対応するサブメニュー・リンクが選択された時点でサブメニューを表示する。カーソルがディスプレイのコンテンツ部内にあってメニューが表示されていない場合、プロセッサは、第２のユーザー入力が行なわれた時点で、最初にメニューを表示することなくサブメニューを表示する。【選択図】図１Ａ【特許請求の範囲】
【請求項１】
ディスプレイ上にグラフィカル・ユーザー・インターフェースを提供する方法を実行すべくプロセッサを設定する命令を含むコンピュータ可読媒体であって、前記方法が、
複数のリンクを含むメニューであって、前記リンクがサブメニューに対応する少なくとも１個のリンクを含んでいて、前記サブメニューが更に複数のリンクを含んでいるメニューを提供するステップと、
複数のユーザー入力を監視するステップと、
前記ディスプレイ内におけるカーソルの位置を監視するステップと、
第１のユーザー入力が行なわれた時点でメニューを表示するステップと、
前記メニュー内の対応するサブメニュー・リンクが選択された時点でサブメニューを表示するステップと、
前記カーソルが前記ディスプレイのコンテンツ部内にあって前記メニューが表示されていない場合、第２のユーザー入力が行なわれた時点で、最初にメニューを表示することなく、前記サブメニューを表示するステップとを含む媒体。
【請求項２】
複数のユーザー入力を監視するステップが、前記カーソルの移動を制御するユーザーによる方向入力を監視するステップを含む、請求項１に記載のコンピュータ可読媒体。
【請求項３】
前記メニューの複数のリンクが、一方向に向けられた方向入力を用いて繰り返しナビゲート可能である、請求項２に記載のコンピュータ可読媒体。
【請求項４】
前記コンテンツ部が境界を有し、
前記カーソルが、前記コンテンツ部の境界内の少なくとも２個の位置間を移動可能であり、
前記第１のユーザー入力が、前記コンテンツ部の境界を越えて前記カーソルを移動させる方向への方向入力からなる、請求項２に記載のコンピュータ可読媒体。
【請求項５】
前記第１のユーザー入力が、前記コンテンツ部の境界外まで前記カーソルを一方向へ移動させる方向入力からなる、請求項４に記載のコンピュータ可読媒体。
【請求項６】
逆方向への方向入力が行なわれた時点で、前記ディスプレイから前記メニューを削除するステップを更に含む、請求項５に記載のコンピュータ可読媒体。
【請求項７】
前記リンクがサブメニューに対応する複数のリンクを含み、
前記方法が、
前記ディスプレイのコンテンツ部のコンテンツを監視するステップと、
前記カーソルが前記ディスプレイのコンテンツ部内にあって前記メニューが表示されていない場合に第２の入力が行なわれた時点で、前記コンテンツ部のコンテンツに基づいて前記サブメニューのいずれを表示すべきかを決定するステップとを更に含む、請求項１に記載のコンピュータ可読媒体。
【請求項８】
前記コンテンツ部のコンテンツに基づいて前記サブメニューのいずれを表示すべきかを決定するステップが、前記コンテンツ部のコンテンツの識別子を検索するステップを含み、
前記サブメニューのいずれを表示すべきかを決定するステップが、識別子に基づいて前記サブメニューのいずれを表示すべきか決定するステップを含む、請求項７に記載のコンピュータ可読媒体。
【請求項９】
前記識別子が、前記コンテンツ部内に表示されたコンテンツページのファイル名である、請求項８に記載のコンピュータ可読媒体。
【請求項１０】
前記ディスプレイのコンテンツ部がコンテンツページを表示し、前記メニューおよび前記サブメニューの少なくとも１個が前記コンテンツページへのリンクを含む、請求項１に記載のコンピュータ可読媒体。
【請求項１１】
前記第２のユーザー入力が単一キーストロークからなる、請求項１に記載のコンピュータ可読媒体。
【請求項１２】
ディスプレイ上にグラフィカル・ユーザー・インターフェースを提供する方法を実行すべくプロセッサを設定する命令を含むコンピュータ可読媒体であって、前記方法が、
複数のリンクを含むメニューを提供するステップと、
前記ディスプレイのコンテンツ部内におけるカーソルの移動を制御するユーザーによる方向入力を監視するステップと、
前記ディスプレイのコンテンツ部が境界を有し、前記コンテンツ部の境界内の少なくとも２個の位置の間で前記カーソルの移動を許す前記コンテンツ部内における前記カーソルの位置を監視するステップと、
前記コンテンツ部の境界を越えて前記カーソルを移動させる方向への方向入力が行なわれた時点で前記メニューを表示するステップと、
逆向きの方向入力が行なわれた時点で前記ディスプレイから前記メニューを削除するステップとを含む媒体。
【請求項１３】
前記メニューの複数のリンクが、一方向に向けられた方向入力を用いて繰り返しナビゲート可能である、請求項１２に記載のコンピュータ可読媒体。
【請求項１４】
前記リンクがサブメニューに対応する少なくとも１個のリンクを含んでいて、前記サブメニューが更に複数のリンクを含み、
前記ディスプレイのコンテンツ部がコンテンツページを表示し、前記メニューおよび前記サブメニューの少なくとも１個が前記コンテンツページへのリンクを含んでいて、
前記方法が更に、前記コンテンツ部内に前記コンテンツページを表示するステップと、前記対応ページリンクが選択された時点で、前記コンテンツページ内に前記カーソルを合わせるステップとを含む、請求項１２に記載のコンピュータ可読媒体。
【請求項１５】
前記方向入力が、前記コンテンツ部の境界外まで前記カーソルを一方向へ移動させる方向入力からなる、請求項１２に記載のコンピュータ可読媒体。
【請求項１６】
前記方向入力が単一キーストロークからなる、請求項１２に記載のコンピュータ可読媒体。
【請求項１７】
グラフィカル・ユーザー・インターフェースを提供するシステムであって、
プロセッサと、
複数のリンクを含むメニューであって、前記リンクがサブメニューに対応する少なくとも１個のリンクを含んでいて、前記サブメニューが更に複数のリンクを含んでいるメニューを提供し、
複数のユーザー入力を監視すべく、
ディスプレイ内におけるカーソルの位置を監視すべく、
第１のユーザー入力が行なわれた時点で前記メニューを表示すべく、
前記メニュー内で対応するサブメニュー・リンクが選択された時点で、前記サブメニューを表示すべく、かつ
前記カーソルが前記ディスプレイのコンテンツ部内にあって前記メニューが表示されていない場合、第２のユーザー入力が行なわれた時点で、最初に前記メニューを表示することなく、前記サブメニューを表示すべく前記プロセッサを設定する命令を含んでいるコンピュータ可読媒体とを含むシステム。
【請求項１８】
複数のユーザー入力を監視するステップが、前記カーソルの移動を制御するユーザーによる方向入力を監視するステップを含む、請求項１７に記載に記載のシステム。
【請求項１９】
前記メニュー内の複数のリンクが、一方向に向けられた方向入力を用いて繰り返しナビゲート可能である、請求項１８に記載のシステム。
【請求項２０】
前記コンテンツ部が境界を有し、
前記カーソルが前記コンテンツ部の境界内で少なくとも２個の位置の間を移動可能であり、
前記第１のユーザー入力が、前記コンテンツ部の境界を越えて前記カーソルを移動させる方向への方向入力からなる、請求項１８に記載のシステム。
【請求項２１】
前記第１のユーザー入力が、前記コンテンツ部の境界外まで前記カーソルを一方向へ移動させる方向入力からなる、請求項２０に記載のシステム。
【請求項２２】
逆方向への方向入力が行なわれた時点で、前記ディスプレイから前記メニューを削除するステップを更に含む、請求項２１に記載のシステム。
【請求項２３】
前記リンクがサブメニューに対応する複数のリンクを含み、
前記コンピュータ可読媒体は、
前記ディスプレイのコンテンツ部のコンテンツを監視すべく、かつ
前記カーソルが前記ディスプレイのコンテンツ部内にあって前記メニューが表示されていない場合に第２の入力が行なわれた時点で、前記コンテンツ部のコンテンツに基づいて前記サブメニューのいずれを表示すべきかを決定すべく前記プロセッサを設定する命令を含む、請求項１７に記載のシステム。
【請求項２４】
前記コンテンツ部のコンテンツに基づいて前記サブメニューのいずれを表示すべきかを決定するステップが、前記コンテンツ部のコンテンツの識別子を検索するステップを含み、
前記サブメニューのいずれを表示すべきかを決定するステップが、前記識別子に基づいて前記サブメニューのいずれを表示すべきか決定するステップを含む、請求項２３に記載のシステム。
【請求項２５】
前記識別子が、前記コンテンツ部内に表示されたコンテンツページのファイル名である、請求項２４に記載のシステム。
【請求項２６】
前記ディスプレイのコンテンツ部がコンテンツページを表示し、前記メニューおよび前記サブメニューの少なくとも１個が前記コンテンツページへのリンクを含む、請求項１７のシステム。
【請求項２７】
前記第２のユーザー入力が単一のキーストロークからなる、請求項１７に記載のシステム。
【請求項２８】
グラフィカル・ユーザー・インターフェースを提供するシステムであって、
プロセッサと、
複数のリンクを含むメニューを提供すべく、
ディスプレイのコンテンツ部内におけるカーソルの移動を制御するユーザーによる方向入力を監視すべく、
前記ディスプレイのコンテンツ部が境界を有し、前記コンテンツ部の境界内の少なくとも２個の位置の間で前記カーソルの移動を許す前記コンテンツ部内における前記カーソルの位置を監視すべく、
前記コンテンツ部の境界を越えて前記カーソルを移動させる方向への方向入力が行なわれた時点で前記メニューを表示すべく、かつ
逆向きの方向入力が行なわれた時点で前記ディスプレイから前記メニューを削除すべく前記プロセッサを設定する命令を含んでいるコンピュータ可読媒体とを含むシステム。
【請求項２９】
前記メニューの複数のリンクが、一方向に向けられた方向入力を用いて繰り返しナビゲート可能である、請求項２８に記載のシステム。
【請求項３０】
前記リンクがサブメニューに対応する少なくとも１個のリンクを含んでいて、前記サブメニューが更に複数のリンクを含み、
前記ディスプレイのコンテンツ部がコンテンツページを表示し、前記メニューおよび前記サブメニューの少なくとも１個が前記コンテンツページへのリンクを含んでいて、
前記コンピュータ可読媒体は更に、前記コンテンツ部内にコンテンツページを表示すべく前記プロセッサを設定し、かつ前記対応するページリンクが選択された時点で、前記コンテンツページ内に前記カーソルを合わせる命令を含む、請求項２８に記載のシステム。
【請求項３１】
前記方向入力が、前記コンテンツ部の境界外まで前記カーソルを一方向へ移動させる方向入力からなる、請求項２８に記載のシステム。
【請求項３２】
前記方向入力が単一のキーストロークからなる、請求項２８に記載のシステム。
【請求項３３】
電子機器であって、
ディスプレイと、
前記ディスプレイ上へのグラフィカル・ユーザー・インターフェースの表示を制御すべく設定されたプロセッサと、
複数のリンクを含むメニューであって、前記リンクがサブメニューに対応する少なくとも１個のリンクを含んでいて、前記サブメニューが更に複数のリンクを含んでいるメニューを提供すべく、
複数のユーザー入力を監視すべく、
ディスプレイ内におけるカーソルの位置を監視すべく、
第１のユーザー入力が行なわれた時点で前記メニューを表示すべく、
前記メニュー内で対応するサブメニュー・リンクが選択された時点で、前記サブメニューを表示すべく、かつ
前記カーソルが前記ディスプレイのコンテンツ部内にあって前記メニューが表示されていない場合、第２のユーザー入力が行なわれた時点で、最初に前記メニューを表示することなく、前記サブメニューを表示すべく前記プロセッサを設定する命令を含んでいるコンピュータ可読媒体とを含む電子機器。
【請求項３４】
複数のユーザー入力を監視するステップが、前記カーソルの移動を制御するユーザーによる方向入力を監視するステップを含む、請求項３３に記載の機器。
【請求項３５】
前記メニューの複数のリンクが、一方向に向けられた方向入力を用いて繰り返しナビゲート可能である、請求項３４に記載の機器。
【請求項３６】
前記コンテンツ部が境界を有し、
前記カーソルが、前記コンテンツ部の境界内の少なくとも２個の位置間を移動可能であり、
前記第１のユーザー入力が、前記コンテンツ部の境界を越えて前記カーソルを移動させる方向への方向入力からなる、請求項３４に記載の機器。
【請求項３７】
前記第１のユーザー入力が、前記コンテンツ部の境界外まで前記カーソルを一方向へ移動させる方向入力からなる、請求項３６に記載の機器。
【請求項３８】
前記コンピュータ可読媒体は、逆方向への方向入力が行なわれた時点で、前記ディスプレイから前記メニューを削除すべく前記プロセッサを設定する命令を更に含む、請求項３７に記載の機器。
【請求項３９】
前記リンクがサブメニューに対応する複数のリンクを含み、
前記コンピュータ可読媒体は、
前記ディスプレイのコンテンツ部のコンテンツを監視すべく、かつ
前記カーソルが前記ディスプレイのコンテンツ部内にあって前記メニューが表示されていない場合に第２の入力が行なわれた時点で、前記コンテンツ部のコンテンツに基づいて前記サブメニューのいずれを表示すべきかを決定すべく前記プロセッサを設定する命令を更に含む、請求項３３に記載の機器。
【請求項４０】
前記コンテンツ部のコンテンツに基づいて前記サブメニューのいずれを表示すべきかを決定するステップが、前記コンテンツ部のコンテンツの識別子を検索するステップを含み、
前記サブメニューのいずれを表示すべきかを決定するステップが、前記識別子に基づいて前記サブメニューのいずれを表示すべきか決定するステップを含む、請求項３９に記載の機器。
【請求項４１】
前記識別子が、前記コンテンツ部内に表示されたコンテンツページのファイル名である、請求項４０に記載の機器。
【請求項４２】
前記ディスプレイのコンテンツ部がコンテンツページを表示し、前記メニューおよび前記サブメニューの少なくとも１個が前記コンテンツページへのリンクを含む、請求項３３に記載の機器。
【請求項４３】
前記第２のユーザー入力が単一のキーストロークからなる、請求項３３に記載の機器。
【請求項４４】
前記機器が（ａ）携帯電話、（ｂ）ＰＤＡ、または（ｃ）ポケットベルの１個を含む、請求項３３に記載の機器。
【請求項４５】
電子機器であって、
ディスプレイと、
方向入力と、
前記ディスプレイ上へのグラフィカル・ユーザー・インターフェースの表示を制御すべく設定されたプロセッサと、
複数のリンクを含むメニューを提供すべく、
前記ディスプレイのコンテンツ部内におけるカーソルの移動を制御するユーザーによる方向入力を監視すべく、
前記ディスプレイのコンテンツ部が境界を有し、前記コンテンツ部の境界内の少なくとも２個の位置の間で前記カーソルの移動を許す前記コンテンツ部内における前記カーソルの位置を監視すべく、
前記コンテンツ部の境界を越えて前記カーソルを移動させる方向への方向入力が行なわれた時点で前記メニューを表示すべく、かつ
逆向きの方向入力が行なわれた時点で前記ディスプレイから前記メニューを削除すべく前記プロセッサを設定する命令を含んでいるコンピュータ可読媒体とを含む電子機器。
【請求項４６】
前記メニュー内の複数のリンクが、一方向に向けられた方向入力を用いて繰り返しナビゲート可能である、請求項４５に記載の機器。
【請求項４７】
前記リンクがサブメニューに対応する少なくとも１個のリンクを含んでいて、前記サブメニューが更に複数のリンクを含み、
前記ディスプレイのコンテンツ部がコンテンツページを表示し、前記メニューおよび前記サブメニューの少なくとも１個が前記コンテンツページへのリンクを含み、
前記コンピュータ可読媒体は、前記コンテンツ部内に前記コンテンツページを表示すべく前記プロセッサを設定し、かつ前記対応ページリンクが選択された時点で、前記コンテンツページ内に前記カーソルを合わせる命令を更に含む、請求項４５に記載の機器。
【請求項４８】
前記方向入力が、前記コンテンツ部の境界外まで前記カーソルを一方向へ移動させる方向入力からなる、請求項４５に記載の機器。
【請求項４９】
前記方向入力が単一キーストロークからなる、請求項４５に記載の機器。
【請求項５０】
前記機器が（ａ）携帯電話、（ｂ）ＰＤＡ、または（ｃ）ポケットベルの１個を含む、請求項４５に記載の機器。
【請求項５１】
電子ディスプレイ上にグラフィカル・ユーザー・インターフェースを提供する方法であって、
複数のリンクを含むメニューであって、前記リンクがサブメニューに対応する少なくとも１個のリンクを含んでいて、前記サブメニューが更に複数のリンクを含んでいるメニューを提供するステップと、
複数のユーザー入力を監視するステップと、
前記ディスプレイ内におけるカーソルの位置を監視するステップと、
第１のユーザー入力が行なわれた時点で前記メニューを表示するステップと、
前記メニュー内の対応するサブメニュー・リンクが選択された時点で前記サブメニューを表示するステップと、
前記カーソルが前記ディスプレイのコンテンツ部内にあって前記メニューが表示されていない場合、第２のユーザー入力が行なわれた時点で、最初に前記メニューを表示することなく、前記サブメニューを表示するステップとを含む方法。
【請求項５２】
複数のユーザー入力を監視するステップが、前記カーソルの移動を制御するユーザーによる方向入力を監視するステップを含む、請求項５１に記載の方法。
【請求項５３】
前記メニューの複数のリンクが、一方向に向けられた方向入力を用いて繰り返しナビゲート可能である、請求項５２に記載の方法。
【請求項５４】
前記コンテンツ部が境界を有し、
前記カーソルが、前記コンテンツ部の境界内の少なくとも２個の位置間を移動可能であり、
前記第１のユーザー入力が、前記コンテンツ部の境界を越えて前記カーソルを移動させる方向への方向入力からなる、請求項５２に記載の方法。
【請求項５５】
前記第１のユーザー入力が、前記コンテンツ部の境界外まで前記カーソルを一方向へ移動させる方向入力からなる、請求項５４に記載の方法。
【請求項５６】
逆方向への方向入力が行なわれた時点で、前記ディスプレイから前記メニューを削除するステップを更に含む、請求項５５に記載の方法。
【請求項５７】
前記リンクがサブメニューに対応する複数のリンクを含み、
前記方法が、
前記ディスプレイのコンテンツ部のコンテンツを監視するステップと、
前記カーソルが前記ディスプレイのコンテンツ部内にあって前記メニューが表示されていない場合に前記第２の入力が行なわれた時点で、前記コンテンツ部のコンテンツに基づいて前記サブメニューのいずれを表示すべきかを決定するステップとを更に含む、請求項５１に記載の方法。
【請求項５８】
前記コンテンツ部のコンテンツに基づいて前記サブメニューのいずれを表示すべきかを決定するステップが、前記コンテンツ部のコンテンツの識別子を検索するステップを含み、
前記サブメニューのいずれを表示すべきかを決定するステップが、前記識別子に基づいて前記サブメニューのいずれを表示すべきか決定するステップを含む、請求項５７に記載の方法。
【請求項５９】
前記識別子が、前記コンテンツ部内に表示されたコンテンツページのファイル名である、請求項５８に記載の方法。
【請求項６０】
前記ディスプレイのコンテンツ部がコンテンツページを表示し、前記メニューおよび前記サブメニューの少なくとも１個が前記コンテンツページへのリンクを含む、請求項５１に記載の方法。
【請求項６１】
前記第２のユーザー入力が単一のキーストロークからなる、請求項５１に記載の方法。
【請求項６２】
電子ディスプレイ上にグラフィカル・ユーザー・インターフェースを提供する方法であって、
複数のリンクを含むメニューを提供するステップと、
前記ディスプレイのコンテンツ部内におけるカーソルの移動を制御するユーザーによる方向入力を監視するステップと、
前記ディスプレイのコンテンツ部が境界を有し、前記コンテンツ部の境界内の少なくとも２個の位置の間で前記カーソルの移動を許す前記コンテンツ部内における前記カーソルの位置を監視するステップと、
前記コンテンツ部の境界を越えて前記カーソルを移動させる方向への方向入力が行なわれた時点で前記メニューを表示するステップと、
逆向きの方向入力が行なわれた時点で前記ディスプレイから前記メニューを削除するステップとを含む方法。
【請求項６３】
前記メニューの複数のリンクが、一方向に向けられた方向入力を用いて繰り返しナビゲート可能である、請求項６２に記載の方法。
【請求項６４】
前記リンクがサブメニューに対応する少なくとも１個のリンクを含んでいて、前記サブメニューが更に複数のリンクを含み、
前記ディスプレイのコンテンツ部がコンテンツページを表示し、前記メニューおよび前記サブメニューの少なくとも１個が前記コンテンツページへのリンクを含み、
前記方法が更に、前記コンテンツ部内に前記コンテンツページを表示するステップと、前記対応ページリンクが選択された時点で、前記コンテンツページ内に前記カーソルを合わせるステップとを含む、請求項６２に記載の方法。
【請求項６５】
前記方向入力が、前記コンテンツ部の境界外まで前記カーソルを一方向へ移動させる方向入力からなる、請求項６２に記載の方法。
【請求項６６】
前記方向入力が単一のキーストロークからなる、請求項６２に記載の方法。
【請求項６７】
携帯通信機器へのナビゲーション・インターフェースを提供する方法を含むコンピュータ可読媒体であって、前記方法が、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に配置されるメニューを提供するステップと、
前記カーソルが前記メニュー上にある場合、選択的にメニューを非アクティブにさせて、前記ディスプレイの一方の側と逆方向への方向入力に応答して前記ディスプレイのコンテンツ部に表示されたコンテンツページ内にカーソルのフォーカスを合わせるステップとを含むコンピュータ可読媒体。
【請求項６８】
携帯通信機器へのナビゲーション・インターフェースを提供する方法を含むコンピュータ可読媒体であって、前記方法が、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に配置されるメニューを提供するステップと、
前記ディスプレイの一方の側に沿って前記メニューを表示して、前記ディスプレイの一方側の方向への方向入力に応答して、カーソルのフォーカスを前記メニュー内のリンクの１つに合わせるステップと、
前記カーソルが前記メニュー上にある場合、選択入力に応答して前記カーソルのフォーカスが合わせられている前記メニュー内のリンクを選択的に開くステップとを含むコンピュータ可読媒体。
【請求項６９】
携帯通信機器へのナビゲーション・インターフェースを提供する方法を含むコンピュータ可読媒体であって、前記方法が、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に添って配置されるメニューを提供するステップと、
前記ディスプレイの一方の側に沿って前記メニューを表示して、前記ディスプレイの一方側の方向への方向入力に応答して、カーソルのフォーカスを前記メニュー内のリンクの１つに合わせるステップと、
前記カーソルが前記メニュー上にある場合、
（ａ）前記メニューを非アクティブにさせ、前記ディスプレイの一方の側の逆方向への方向入力に応答して、前記ディスプレイのコンテンツ部内に表示されたコンテンツページ内にカーソルのフォーカスを合わせるステップ、または、
（ｂ）選択入力に応答して前記カーソルのフォーカスが合わせられた前記メニューのリンクを開くステップを選択的に含むコンピュータ可読媒体。
【請求項７０】
前記カーソルが前記メニュー上にある場合、前記ディスプレイ内における前記カーソルの位置は静止したままであり、
前記方法が方向入力に応答して、前記カーソルの位置を介して前記メニューのリンクを回転させるステップを更に含む、請求項６９に記載のコンピュータ可読媒体。
【請求項７１】
前記メニューが、前記メニュー上のカーソルの位置を示す強調表示フレームを更に含む、請求項７０に記載のコンピュータ可読媒体。
【請求項７２】
前記ディスプレイの一方の側が前記ディスプレイの左側であり、
前記方法が更に、
前記ディスプレイの一方の側に沿って前記メニューを表示し、左方向入力に応答してカーソルのフォーカスを前記メニューのリンクの１つに合わせるステップと、
前記カーソルが前記メニュー上にある場合、
上または下方向入力に応答して前記メニューのリンクを回転させるステップと、
前記メニューを非アクティブにさせ、右方向入力に応答してカーソルのフォーカスを前記コンテンツ部に表示されたコンテンツページ内に合わせるステップとを含む、請求項６９に記載のコンピュータ可読媒体。
【請求項７３】
前記ディスプレイの一方の側に沿って前記メニューを表示するステップが、前記ディスプレイの一方の側から画面にスライドして現われるように見せるべく前記メニューをアニメーション表示するステップを含み、
前記メニューを非アクティブにさせるステップが、前記ディスプレイの一方側へスライドして出て行くように見せるべく前記メニューをアニメーション表示するステップを含む、請求項６９に記載のコンピュータ可読媒体。
【請求項７４】
前記メニューが前記ディスプレイの一方の側へスライドして出た後で、前記メニューの一部が前記ディスプレイの一方の側に沿って可視のままである、請求項７３に記載のコンピュータ可読媒体。
【請求項７５】
前記メニューが単一の列に編成された複数のパネルを含んでいて、各々の前記パネルが前記メニューのリンクに対応していて、前記リンクの選択を介してアクセス可能なコンテンツページを象徴するアイコンを表示する、請求項６９に記載のコンピュータ可読媒体。
【請求項７６】
前記メニューがメニューホイール含み、前記メニューホイールのリンクが単一の方向入力を用いて繰り返しナビゲート可能である、請求項６９に記載のコンピュータ可読媒体。
【請求項７７】
前記メニューが表示された場合、前記ディスプレイのコンテンツ部内に表示されたコンテンツページの一部に重なるように見える、請求項６９に記載のコンピュータ可読媒体。
【請求項７８】
前記ディスプレイの一方の側に沿って前記メニューを表示するステップが、前記コンテンツページの残りを前記コンテンツ部内に、明るさを下げて表示するステップを更に含む、請求項７７に記載のコンピュータ可読媒体。
【請求項７９】
前記コンテンツページ内にカーソルのフォーカスを合わせるステップが、前記コンテンツページ内の最上位リンクに前記カーソルのフォーカスを合わせるステップを含む、請求項６９に記載のコンピュータ可読媒体。
【請求項８０】
前記カーソルのフォーカスを最上位リンクに合わせるステップが、
前記リンク内のテキストを強調表示するブロックと、
前記リンク内のテキストの色の変更と
のうちの一つにより前記カーソルの位置を示すステップを含む、請求項７９に記載のコンピュータ可読媒体。
【請求項８１】
前記メニューが、
スポーツ・スコア、
スポーツ・ニュース、
スポーツ統計、
架空のスポーツ・チーム、
のうちの一つに関係するコンテンツを含むコンテンツページへのリンクを含む、請求項６９に記載のコンピュータ可読媒体。
【請求項８２】
前記方法が、前記携帯通信機器のユーザーの贔屓のスポーツ・チームを示す個人データに基づいて前記ナビゲーション・インターフェースを個人用にするステップを更に含む、請求項８１に記載のコンピュータ可読媒体。
【請求項８３】
前記方法が、前記ナビゲーション・インターフェースの起動時に、前記ディスプレイの一方の側に沿って前記メニューを表示して、前記カーソルのフォーカスを前記リンクのデフォルトの１つに合わせるステップを更に含む、請求項６９に記載のコンピュータ可読媒体。
【請求項８４】
前記リンクのデフォルトの１つが、スポーツ関連ニュース項目へのリンクを含むコンテンツページに対応する、請求項８３に記載のコンピュータ可読媒体。
【請求項８５】
前記ディスプレイが、
前記携帯通信機器のソフトキーの機能にラベル付けを行なうソフトキー部であって、前記ディスプレイの下部コーナ部を含むソフトキー部と、
スクロールするテキストメッセージを示すメッセージ部であって、前記ディスプレイの下部中心部を含むメッセージ部とを含む、請求項６９に記載のコンピュータ可読媒体。
【請求項８６】
前記スクロールするテキストメッセージが回転するスポーツ・スコアを含む、請求項８５に記載のコンピュータ可読媒体。
【請求項８７】
携帯電話システムであって、
少なくとも１個の携帯電話と、
前記携帯電話システムを介して前記携帯電話からデジタルコンテンツへアクセスするコンテンツサーバとを含み、
前記システムが更に、前記携帯電話にナビゲーション・インターフェースを提供する方法を含むコンピュータ可読媒体を含み、前記方法が、
前記携帯電話のディスプレイ内におけるカーソルの移動を制御するユーザーによる方向入力を監視するステップと、
前記携帯電話の選択入力を監視するステップと、
前記コンテンツサーバによりホスティングされるコンテンツページへの複数のリンクを含むメニューであって、前記リンクが前記ユーザーによる方向入力を用いてナビゲート可能であり、表示された場合に前記ディスプレイの一方の側に配置されるメニューを提供するステップと、
前記カーソルが前記メニュー上にある場合、選択的にメニューを非アクティブにさせて、前記ディスプレイの一方の側と逆方向への方向入力に応答して前記ディスプレイのコンテンツ部に表示されたコンテンツページ内にカーソルのフォーカスを合わせるステップとを含む携帯電話システム。
【請求項８８】
携帯電話システムであって、
少なくとも１個の携帯電話と、
前記携帯電話システムを介して前記携帯電話からデジタルコンテンツへアクセスするコンテンツサーバとを含み、
前記システムが更に、前記携帯電話にナビゲーション・インターフェースを提供する方法を含むコンピュータ可読媒体を含み、前記方法が、
前記携帯電話のディスプレイ内におけるカーソルの移動を制御するユーザーによる方向入力を監視するステップと、
前記携帯電話の選択入力を監視するステップと、
前記コンテンツサーバによりホスティングされるコンテンツページへの複数のリンクを含むメニューであって、前記リンクが前記ユーザーによる方向入力を用いてナビゲート可能であり、表示された場合に前記ディスプレイの一方の側に配置されるメニューを提供するステップと、
前記ディスプレイの一方の側に沿って前記メニューを表示して、前記ディスプレイの一方側の方向への方向入力に応答して、カーソルのフォーカスを前記メニュー内のリンクの１つに合わせるステップと、
前記カーソルが前記メニュー上にある場合、選択入力に応答して前記カーソルのフォーカスが合わされているリンクを選択的に開くステップとを含む携帯電話システム。
【請求項８９】
携帯電話システムであって、
少なくとも１個の携帯電話と、
前記携帯電話システムを介して前記携帯電話からデジタルコンテンツへアクセスするコンテンツサーバとを含み、
前記システムが更に、前記携帯電話にナビゲーション・インターフェースを提供する方法を含むコンピュータ可読媒体を含み、前記方法が、
前記携帯電話のディスプレイ内におけるカーソルの移動を制御するユーザーによる方向入力を監視するステップと、
前記携帯電話の選択入力を監視するステップと、
前記コンテンツサーバによりホスティングされるコンテンツページへの複数のリンクを含むメニューであって、前記リンクが前記ユーザーによる方向入力を用いてナビゲート可能であり、表示された場合に前記ディスプレイの一方の側に添って配置されるメニューを提供するステップと、
前記ディスプレイの一方の側に沿って前記メニューを表示して、前記ディスプレイの一方側の方向への方向入力に応答して、カーソルのフォーカスを前記メニュー内のリンクの１つに合わせるステップと、
前記カーソルが前記メニュー上にある場合、
（ａ）前記メニューを非アクティブにさせ、前記ディスプレイの一方の側の逆方向への方向入力に応答して、前記ディスプレイのコンテンツ部内に表示されたコンテンツページ内にカーソルのフォーカスを合わせるステップ、または、
（ｂ）選択入力に応答して前記カーソルのフォーカスが合わせられたリンクを開くステップを選択的に含む携帯電話システム。
【請求項９０】
前記カーソルが前記メニュー上にある場合、前記ディスプレイ内における前記カーソルの位置は静止したままであり、
前記方法が方向入力に応答して、前記カーソルの位置を介して前記メニューのリンクを回転させるステップを更に含む、請求項８９に記載のシステム。
【請求項９１】
前記メニューが、前記メニュー上のカーソルの位置を示す強調表示フレームを更に含む、請求項９０に記載のシステム。
【請求項９２】
前記ディスプレイの一方の側が前記ディスプレイの左側であり、
前記方法が更に、
前記ディスプレイの一方の側に沿って前記メニューを表示し、左方向入力に応答してカーソルのフォーカスを前記メニューのリンクの１つに合わせるステップと、
前記カーソルが前記メニュー上にある場合、
上または下方向入力に応答して前記メニューのリンクを回転させるステップと、
前記メニューを非アクティブにさせ、右方向入力に応答してカーソルのフォーカスを前記コンテンツ部に表示されたコンテンツページ内に合わせるステップとを含む、請求項８９に記載のシステム。
【請求項９３】
前記ディスプレイの一方の側に沿って前記メニューを表示するステップが、前記ディスプレイの一方の側から画面にスライドして現われるように見せるべく前記メニューをアニメーション表示するステップを含み、
前記メニューを非アクティブにさせるステップが、前記ディスプレイの一方側へスライドして出て行くように見せるべく前記メニューをアニメーション表示するステップを含む、請求項８９に記載のシステム。
【請求項９４】
前記メニューが前記ディスプレイの一方の側へスライドして出た後で、前記メニューの一部が前記ディスプレイの一方の側に沿って可視のままである、請求項９３に記載のシステム。
【請求項９５】
前記メニューが単一の列に編成された複数のパネルを含んでいて、各々の前記パネルが前記メニューのリンクに対応していて、前記リンクの選択を介してアクセス可能なコンテンツページを象徴するアイコンを表示する、請求項８９に記載のシステム。
【請求項９６】
前記メニューがメニューホイール含み、前記メニューホイールのリンクが単一の方向入力を用いて繰り返しナビゲート可能である、請求項８９に記載のシステム。
【請求項９７】
前記メニューが表示された場合、前記ディスプレイのコンテンツ部内に表示されたコンテンツページの一部に重なるように見える、請求項８９に記載のシステム。
【請求項９８】
前記ディスプレイの一方の側に沿って前記メニューを表示するステップが、前記コンテンツページの残りを前記コンテンツ部内に、明るさを下げて表示するステップを更に含む、請求項９７に記載のシステム。
【請求項９９】
前記コンテンツページ内にカーソルのフォーカスを合わせるステップが、前記コンテンツページ内の最上位リンクに前記カーソルのフォーカスを合わせるステップを含む、請求項８９に記載のシステム。
【請求項１００】
前記カーソルのフォーカスを最上位リンクに合わせるステップが、
前記リンク内のテキストを強調表示するブロックと、
前記リンク内のテキストの色の変更と
のうちの一つにより前記カーソルの位置を示すステップを含む、請求項９９に記載のシステム。
【請求項１０１】
前記メニューが、
スポーツ・スコア、
スポーツ・ニュース、
スポーツ統計、
架空のスポーツ・チーム、
のうちの一つに関係するコンテンツを含むコンテンツページへのリンクを含む、請求項８９に記載のシステム。
【請求項１０２】
前記方法が、前記携帯通信機器のユーザーの贔屓のスポーツ・チームを示す個人データに基づいて前記ナビゲーション・インターフェースを個人用にするステップを更に含む、請求項１０１に記載のシステム。
【請求項１０３】
前記方法が、前記ナビゲーション・インターフェースの起動時に、前記ディスプレイの一方の側に沿って前記メニューを表示して、前記カーソルのフォーカスを前記リンクのデフォルトの１つに合わせるステップを更に含む、請求項８９に記載のシステム。
【請求項１０４】
前記リンクのデフォルトの１つが、スポーツ関連ニュース項目へのリンクを含むコンテンツページに対応する、請求項１０３に記載のシステム。
【請求項１０５】
前記ディスプレイが、
前記携帯電話のソフトキーの機能にラベル付けを行なうソフトキー部であって、前記ディスプレイの下部コーナ部を含むソフトキー部と、
スクロールするテキストメッセージを示すメッセージ部であって、前記ディスプレイの下部中心部を含むメッセージ部とを含む、請求項８９に記載のシステム。
【請求項１０６】
前記スクロールするテキストメッセージが回転するスポーツ・スコアを含む、請求項１０５に記載のシステム。
【請求項１０７】
携帯通信機器であって、
無線信号を送受信するトランシーバと、
ディスプレイと、
前記ディスプレイ内におけるカーソルの移動を制御する方向入力と、
選択入力と、
前記ディスプレイ上へのグラフィカル・ユーザー・インターフェースの表示を制御すべく設定されたプロセッサと、
前記携帯通信機器にナビゲーション・インターフェースを提供する方法を含むコンピュータ可読媒体とを含み、前記方法が、
前記ユーザーによる方向入力を監視するステップと、
前記選択入力を監視するステップと、
複数のリンクを含むメニューであって、前記リンクが前記ユーザーによる方向入力を用いてナビゲート可能であり、表示された場合に前記ディスプレイの一方の側に添って配置されるメニューを提供するステップと、
前記カーソルが前記メニュー上にある場合、選択的にメニューを非アクティブにさせて、前記ディスプレイの一方の側と逆方向への方向入力に応答して前記ディスプレイのコンテンツ部に表示されたコンテンツページ内にカーソルのフォーカスを合わせるステップとを含む携帯通信機器。
【請求項１０８】
携帯通信機器であって、
無線信号を送受信するトランシーバと、
ディスプレイと、
前記ディスプレイ内におけるカーソルの移動を制御する方向入力と、
選択入力と、
前記ディスプレイ上へのグラフィカル・ユーザー・インターフェースの表示を制御すべく設定されたプロセッサと、
前記携帯通信機器にナビゲーション・インターフェースを提供する方法を含むコンピュータ可読媒体を含み、前記方法が、
前記ユーザーによる方向入力を監視するステップと、
前記選択入力を監視するステップと、
前記複数のリンクを含むメニューであって、前記リンクが前記ユーザーによる方向入力を用いてナビゲート可能であり、表示された場合に前記ディスプレイの一方の側に添って配置されるメニューを提供するステップと、
前記ディスプレイの一方の側に沿って前記メニューを表示して、前記ディスプレイの一方側の方向への方向入力に応答して、カーソルのフォーカスを前記メニュー内のリンクの１つに合わせるステップと、
前記カーソルが前記メニュー上にある場合、選択入力に応答して前記カーソルのフォーカスが合わされているリンクを選択的に開くステップとを含む携帯通信機器。
【請求項１０９】
携帯通信機器であって、
無線信号を送受信するトランシーバと、
ディスプレイと、
前記ディスプレイ内におけるカーソルの移動を制御する方向入力と、
選択入力と、
前記ディスプレイ上へのグラフィカル・ユーザー・インターフェースの表示を制御すべく設定されたプロセッサと、
前記携帯通信機器にナビゲーション・インターフェースを提供する方法を含むコンピュータ可読媒体とを含み、前記方法が、
前記ユーザーによる方向入力を監視するステップと、
前記選択入力を監視するステップと、
複数のリンクを含むメニューであって、前記リンクが前記ユーザーによる方向入力を用いてナビゲート可能であり、表示された場合に前記ディスプレイの一方の側に添って配置されるメニューを提供するステップと、
前記ディスプレイの一方の側に沿って前記メニューを表示して、前記ディスプレイの一方側の方向への方向入力に応答して、カーソルのフォーカスを前記メニュー内のリンクの１つに合わせるステップと、
前記カーソルが前記メニュー上にある場合、
（ａ）前記メニューを非アクティブにさせ、前記ディスプレイの一方の側の逆方向への方向入力に応答して、前記ディスプレイのコンテンツ部内に表示されたコンテンツページ内にカーソルのフォーカスを合わせるステップ、または、
（ｂ）選択入力に応答して前記カーソルのフォーカスが合わせられたリンクを開くステップを選択的に含む携帯通信機器。
【請求項１１０】
前記カーソルが前記メニュー上にある場合、前記ディスプレイ内における前記カーソルの位置は静止したままであり、
前記方法が方向入力に応答して、前記カーソルの位置を介して前記メニューのリンクを回転させるステップを更に含む、請求項１０９に記載の携帯通信機器。
【請求項１１１】
前記メニューが、前記メニュー上のカーソルの位置を示す強調表示フレームを更に含む、請求項１１０に記載の携帯通信機器。
【請求項１１２】
前記ディスプレイの一方の側が前記ディスプレイの左側であり、
前記方法が更に、
前記ディスプレイの一方の側に沿って前記メニューを表示し、左方向入力に応答してカーソルのフォーカスを前記メニューのリンクの１つに合わせるステップと、
前記カーソルが前記メニュー上にある場合、
上または下方向入力に応答して前記メニューのリンクを回転させるステップと、
前記メニューを非アクティブにさせ、右方向入力に応答してカーソルのフォーカスを前記コンテンツ部に表示されたコンテンツページ内に合わせるステップとを含む、請求項１０９に記載の携帯通信機器。
【請求項１１３】
前記ディスプレイの一方の側に沿って前記メニューを表示するステップが、前記ディスプレイの一方の側から画面にスライドして現われるように見せるべく前記メニューをアニメーション表示するステップを含み、
前記メニューを非アクティブにさせるステップが、前記ディスプレイの一方側へスライドして出て行くように見せるべく前記メニューをアニメーション表示するステップを含む、請求項１０９に記載の携帯通信機器。
【請求項１１４】
前記メニューが前記ディスプレイの一方の側へスライドして出た後で、前記メニューの一部が前記ディスプレイの一方の側に沿って可視のままである、請求項１１３に記載の携帯通信機器。
【請求項１１５】
前記メニューが単一の列に編成された複数のパネルを含んでいて、各々の前記パネルが前記メニューのリンクに対応していて、前記リンクの選択を介してアクセス可能なコンテンツページを象徴するアイコンを表示する、請求項１０９に記載の携帯通信機器。
【請求項１１６】
前記メニューがメニューホイール含み、前記メニューホイールのリンクが単一の方向入力を用いて繰り返しナビゲート可能である、請求項１０９に記載の携帯通信機器。
【請求項１１７】
前記メニューが表示された場合、前記ディスプレイのコンテンツ部内に表示されたコンテンツページの一部に重なるように見える、請求項１０９に記載の携帯通信機器。
【請求項１１８】
前記ディスプレイの一方の側に沿って前記メニューを表示するステップが、前記コンテンツページの残りを前記コンテンツ部内に、明るさを下げて表示するステップを更に含む、請求項１１７に記載の携帯通信機器。
【請求項１１９】
前記コンテンツページ内にカーソルのフォーカスを合わせるステップが、前記コンテンツページ内の最上位リンクに前記カーソルのフォーカスを合わせるステップを含む、請求項１０９に記載の携帯通信機器。
【請求項１２０】
前記カーソルのフォーカスを最上位リンクに合わせるステップが、
前記リンク内のテキストを強調表示するブロックと、
前記リンク内のテキストの色の変更と
のうちの一つにより前記カーソルの位置を示すステップを含む、請求項１１９に記載の携帯通信機器。
【請求項１２１】
前記メニューが、
スポーツ・スコア、
スポーツ・ニュース、
スポーツ統計、
架空のスポーツ・チーム、
のうちの一つに関係するコンテンツを含むコンテンツページへのリンクを含む、請求項１０９に記載の携帯通信機器。
【請求項１２２】
前記方法が、前記携帯通信機器のユーザーの贔屓のスポーツ・チームを示す個人データに基づいて前記ナビゲーション・インターフェースを個人用にするステップを更に含む、請求項１２１に記載の携帯通信機器。
【請求項１２３】
前記方法が、前記ナビゲーション・インターフェースの起動時に、前記ディスプレイの一方の側に沿って前記メニューを表示して、前記カーソルのフォーカスを前記リンクのデフォルトの１つに合わせるステップを更に含む、請求項１０９に記載の携帯通信機器。
【請求項１２４】
前記リンクのデフォルトの１つが、スポーツ関連ニュース項目へのリンクを含むコンテンツページに対応する、請求項１２３に記載の携帯通信機器。
【請求項１２５】
前記ディスプレイが、
前記携帯通信機器のソフトキーの機能にラベル付けを行なうソフトキー部であって、前記ディスプレイの下部コーナ部を含むソフトキー部と、
スクロールするテキストメッセージを示すメッセージ部であって、前記ディスプレイの下部中心部を含むメッセージ部とを含む、請求項１０９に記載の携帯通信機器。
【請求項１２６】
前記スクロールするテキストメッセージが回転するスポーツ・スコアを含む、請求項１２５に記載の携帯通信機器。
【請求項１２７】
携帯通信機器へのナビゲーション・インターフェースを提供する方法であって、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に配置されるメニューを提供するステップと、
前記カーソルが前記メニュー上にある場合、選択的にメニューを非アクティブにさせて、前記ディスプレイの一方の側と逆方向への方向入力に応答して前記ディスプレイのコンテンツ部に表示されたコンテンツページ内にカーソルのフォーカスを合わせるステップとを含む方法。
【請求項１２８】
携帯通信機器へのナビゲーション・インターフェースを提供する方法であって、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に配置されるメニューを提供するステップと、
前記ディスプレイの一方の側に沿って前記メニューを表示して、前記ディスプレイの一方側の方向への方向入力に応答して、カーソルのフォーカスを前記メニュー内のリンクの１つに合わせるステップと、
前記カーソルが前記メニュー上にある場合、選択入力に応答して前記カーソルのフォーカスが合わされているリンクを選択的に開くステップとを含む方法。
【請求項１２９】
携帯通信機器へのナビゲーション・インターフェースを提供する方法であって、
前記携帯通信機器のディスプレイ内におけるカーソルの移動を制御するユーザーによる方向入力を監視するステップと、
前記携帯通信機器の選択入力を監視するステップと、
複数のリンクを含むメニューであって、前記リンクが前記ユーザーによる方向入力を用いてナビゲート可能であり、表示された場合に前記ディスプレイの一方の側に配置されるメニューを提供するステップと、
前記ディスプレイの一方の側に沿って前記メニューを表示して、前記ディスプレイの一方側の方向への方向入力に応答して、カーソルのフォーカスを前記メニュー内のリンクの１つに合わせるステップと、
前記カーソルが前記メニュー上にある場合、
（ａ）前記メニューを非アクティブにさせ、前記ディスプレイの一方の側の逆方向への方向入力に応答して、前記ディスプレイのコンテンツ部内に表示されたコンテンツページ内にカーソルのフォーカスを合わせるステップ、または、
（ｂ）選択入力に応答して前記カーソルのフォーカスが合わせられたリンクを開くステップを選択的に含む方法。
【請求項１３０】
前記カーソルが前記メニュー上にある場合、前記ディスプレイ内における前記カーソルの位置は静止したままであり、
前記方法が方向入力に応答して、前記カーソルの位置を介して前記メニューのリンクを回転させるステップを更に含む、請求項１２９に記載の方法。
【請求項１３１】
前記メニューが、前記メニュー上のカーソルの位置を示す強調表示フレームを更に含む、請求項１３０に記載の方法。
【請求項１３２】
前記ディスプレイの一方の側が前記ディスプレイの左側であり、
前記方法が更に、
前記ディスプレイの一方の側に沿って前記メニューを表示し、左方向入力に応答してカーソルのフォーカスを前記メニューのリンクの１つに合わせるステップと、
前記カーソルが前記メニュー上にある場合、
上または下方向入力に応答して前記メニューのリンクを回転させるステップと、
前記メニューを非アクティブにさせ、右方向入力に応答してカーソルのフォーカスを前記コンテンツ部に表示されたコンテンツページ内に合わせるステップとを含む、請求項１２９に記載の方法。
【請求項１３３】
前記ディスプレイの一方の側に沿って前記メニューを表示するステップが、前記ディスプレイの一方の側から画面にスライドして現われるように見せるべく前記メニューをアニメーション表示するステップを含み、
前記メニューを非アクティブにさせるステップが、前記ディスプレイの一方側へスライドして出て行くように見せるべく前記メニューをアニメーション表示するステップを含む、請求項１２９に記載の方法。
【請求項１３４】
前記メニューが前記ディスプレイの一方の側へスライドして出た後で、前記メニューの一部が前記ディスプレイの一方の側に沿って可視のままである、請求項１３３に記載の方法。
【請求項１３５】
前記メニューが単一の列に編成された複数のパネルを含んでいて、各々の前記パネルが前記メニューのリンクに対応していて、前記リンクの選択を介してアクセス可能なコンテンツページを象徴するアイコンを表示する、請求項１２９に記載の方法。
【請求項１３６】
前記メニューがメニューホイール含み、前記メニューホイールのリンクが単一の方向入力を用いて繰り返しナビゲート可能である、請求項１２９に記載の方法。
【請求項１３７】
前記メニューが表示された場合、前記ディスプレイのコンテンツ部内に表示されたコンテンツページの一部に重なるように見える、請求項１２９に記載の方法。
【請求項１３８】
前記ディスプレイの一方の側に沿って前記メニューを表示するステップが、前記コンテンツページの残りを前記コンテンツ部内に、明るさを下げて表示するステップを更に含む、請求項１３７に記載の方法。
【請求項１３９】
前記コンテンツページ内にカーソルのフォーカスを合わせるステップが、前記コンテンツページ内の最上位リンクに前記カーソルのフォーカスを合わせるステップを含む、請求項１２９に記載の方法。
【請求項１４０】
前記カーソルのフォーカスを最上位リンクに合わせるステップが、
前記リンク内のテキストを強調表示するブロックと、
前記リンク内のテキストの色の変更と
のうちの一つにより前記カーソルの位置を示すステップを含む、請求項１３９に記載の方法。
【請求項１４１】
前記メニューが、
スポーツ・スコア、
スポーツ・ニュース、
スポーツ統計、
架空のスポーツ・チーム、
のうちの一つに関係するコンテンツを含むコンテンツページへのリンクを含む、請求項１２９に記載の方法。
【請求項１４２】
前記携帯通信機器のユーザーの贔屓のスポーツ・チームを示す個人データに基づいて前記ナビゲーション・インターフェースを個人用にするステップを更に含む、請求項１４１に記載の方法。
【請求項１４３】
前記ナビゲーション・インターフェースの起動時に、前記ディスプレイの一方の側に沿って前記メニューを表示して、前記カーソルのフォーカスを前記リンクのデフォルトの１つに合わせるステップを更に含む、請求項１２９に記載の方法。
【請求項１４４】
前記リンクのデフォルトの１つが、スポーツ関連ニュース項目へのリンクを含むコンテンツページに対応する、請求項１４３に記載の方法。
【請求項１４５】
前記ディスプレイが、
前記携帯通信機器のソフトキーの機能にラベル付けを行なうソフトキー部であって、前記ディスプレイの下部コーナ部を含むソフトキー部と、
スクロールするテキストメッセージを示すメッセージ部であって、前記ディスプレイの下部中心部を含むメッセージ部とを含む、請求項１２９に記載の方法。
【請求項１４６】
前記スクロールするテキストメッセージが回転するスポーツ・スコアを含む、請求項１４５に記載の方法。
【発明の詳細な説明】
【技術分野】
【０００１】
著作権に関する注記
本特許文献の開示の一部は、著作権が主張されているコンテンツを含んでいる。本著作権保有者は、特許・商標庁の特許ファイルまたは特許記録に登録されている特許文献または特許開示の複製物を他者が作成することに異存は無いものの、他のあらゆる著作権を留保するものである。
【０００２】
技術分野
本明細書の開示は、電子機器用のグラフィカル・ユーザー・インターフェースを提供するシステムおよび方法に関し、特に、画面が小さい電子ディスプレイへのグラフィカル・ユーザー・インターフェースの提供に関する。
【背景技術】
【０００３】
背景
携帯電話、携帯情報端末（ＰＤＡ）およびポケットベル等の移動電子機器がより高度になるにつれて、これらが提供するアプリケーションの範囲が益々広がっている。このような装置は現在往々にして、ユーザーが微細なグラフィックス、画像およびビデオコンテンツを見ることができるようにするフルカラー、高解像度の液晶ディスプレイ（ＬＣＤ）を備えている。更に、Ｅｖｏｌｕｔｉｏｎ  Ｄａｔａ  Ｏｐｔｉｍｉｚｅｄ（ＥＶＤＯ）、無線アプリケーションプロトコル（ＷＡＰ）およびｉモードプロトコル等の新たなネットワーク・アクセス・プロトコルにより、ユーザーはデジタル携帯電話回線を介してインターネット・コンテンツにアクセスすることができる。このような進歩により、モバイル機器のユーザーが利用できるコンテンツの量および種類が大幅に増えた。今日、このような装置は、従来は地上線を介してインターネットに接続されたパソコンを利用することでのみ利用可能であったものと同じコンテンツの多くにアクセスすることができる。モバイル機器は容易に移動可能であり、従ってあらゆる状況でユーザーからアクセス可能であるため、ユーザーは自分のモバイル機器上でこのように豊富なコンテンツにアクセスする利点が得られる。
【発明の開示】
【発明が解決しようとする課題】
【０００４】
しかし、今や消費者は自分のモバイル機器で自分のパソコンで見るのと同じ種類のコンテンツにアクセスすることが技術的には可能だが、そのようなモバイル・アプリケーションを依然として享受できていない。今日モバイル・アプリケーションの大規模な採用を阻害している主な問題の一つは、利用可能になったコンテンツの隅々までユーザーが容易且つ直観的にナビゲーション可能にするユーザー・インターフェースが不足している点である。
【０００５】
複雑なアプリケーションのナビゲーションに対する従来の解決策は、ユーザーに提示する階層メニュー構造を生成するものである。ユーザーは次いで、自分が探しているコンテンツを見つけるべく階層構造の複数の層を直線的に下がることを求められ、コンテンツが見つかった時点で、ユーザーはメニューから出てコンテンツへ案内される。アプリケーション内の他の場所をナビゲートするには、ユーザーはメニュー階層から出て再び階層の最上位に入り、次いで正しいコンテンツまで下がることが求められる。このような方式では、コンテンツは関連性に基づいて編成されておらず、ユーザーが選択されたコンテンツを閲覧するためにメニュー構造の外へ出た際に、ユーザーは参照の関係性を見失う。
【０００６】
この解決策はパーソナル・コンピュータ・システムには適しているが、モバイル機器の場合はユーザー・インターフェース設計への独特なアプローチを必要とする課題が生じる。例えば、大多数のモバイル機器は片手で操作すべく設計された、限られた機能のキーボードしか備えておらず、パソコン・アプリケーションに典型的な複雑なメニュー構造をナビゲートするためのフルサイズのキーボードおよびマウスを欠いている。更に、モバイル機器用のディスプレイ（通常５インチ未満）は、技術的にはパソコン向けと同様に精巧であるものの、パソコン・ディスプレイ（通常１５インチ超）よりはるかに小さい。その結果、モバイル機器向けに提供されるナビゲーション・ツールは縮小表示されなければならないため、ユーザーはメニューとコンテンツを行き来する間に、参照の関係性を見失いがちである。
【０００７】
このように、モバイル機器に適用された場合、ナビゲーションへの従来のアプローチはかなり不十分であり、従来のモバイル機器インターフェースは、そのような機器を介して提供される広範かつ深遠なコンテンツ群をナビゲートするのに適していない。広範なコンテンツにアクセスするための使い易く且つ直観的なインターフェースが不足しているため、コンテンツ・プロバイダはモバイル機器ユーザーのニーズを十分に満たすことができない。従って、ディスプレイ画面の大きさや機器に存在するユーザー入力機器の種類に拘らず、より多くのコンテンツを電子機器に表示してナビゲーションを可能にする改良されたグラフィカル・ユーザー・インターフェースに対するニーズがある。
【課題を解決するための手段】
【０００８】
概要
本開示に従い、ディスプレイ上にグラフィカル・ユーザー・インターフェースを提供する方法を実行すべくプロセッサを設定する命令を含むコンピュータ可読媒体を提供する。本方法は、複数のリンクを含むメニューであって、各リンクが１個のサブメニューに対応する少なくとも１個のリンクを含んでいて、各サブメニューが更に複数のリンクを含んでいるメニューを提供するステップと、複数のユーザー入力を監視するステップと、ディスプレイ内におけるカーソルの位置を監視するステップと、第１のユーザー入力が行なわれた時点でメニューを表示するステップと、メニュー内の対応するサブメニュー・リンクが選択された時点でサブメニューを表示するステップと、カーソルがディスプレイのコンテンツ部内にあってメニューが表示されていない場合、第２のユーザー入力が行なわれた時点で、最初にメニューを表示することなく、サブメニューを表示するステップとを含んでいる。
【０００９】
また本開示に従い、一システムを提供する。本システムは、ディスプレイ上へのグラフィカル・ユーザー・インターフェースの表示を制御すべく設定されたプロセッサを含んでいる。本システムは更に、メニューを提供すべくプロセッサを設定する命令を含んでいるコンピュータ可読媒体を含んでいる。メニューは複数のリンクを含んでいる。リンクは、サブメニューに対応する少なくとも１個のリンクを含んでいる。サブメニューは更に複数のリンクを含んでいる。プロセッサは、複数のユーザー入力を監視して、ディスプレイ内におけるカーソルの位置を監視する。プロセッサは、第１のユーザー入力が行なわれた時点でメニューを表示し、メニュー内で対応するサブメニュー・リンクが選択された時点で、サブメニューを表示する。カーソルがディスプレイのコンテンツ部内にあってメニューが表示されていない場合、プロセッサは、第２のユーザー入力が行なわれた時点で、最初にメニューを表示することなく、サブメニューを表示する。
【００１０】
本開示に従い、電子機器を提供する。電子機器は、ディスプレイ上へのグラフィカル・ユーザー・インターフェースの表示を制御すべく設定されたディスプレイおよびプロセッサを含んでいる。電子機器は更に、メニューを提供すべくプロセッサを設定する命令を含んでいるコンピュータ可読媒体を含んでいる。メニューは複数のリンクを含んでいる。リンクはサブメニューに対応する少なくとも１個のリンクを含んでいる。サブメニューは更に複数のリンクを含んでいる。プロセッサは、複数のユーザー入力を監視して、ディスプレイ内におけるカーソルの位置を監視する。プロセッサは、第１のユーザー入力が行なわれた時点でメニューを表示し、メニュー内で対応するサブメニュー・リンクが選択された時点でサブメニューを表示する。カーソルがディスプレイのコンテンツ部内にあってメニューが表示されていない場合、プロセッサは、メニューを最初に表示することなく、第２のユーザー入力が行なわれた時点でサブメニューを表示する。
【００１１】
本開示に従い、電子ディスプレイ上にグラフィカル・ユーザー・インターフェースを提供する方法を提供する。本方法は、複数のリンクを含むメニューであって、各リンクが１個のサブメニューに対応する少なくとも１個のリンクを含んでいて、各サブメニューが更に複数のリンクを含んでいるメニューを提供するステップと、複数のユーザー入力を監視するステップと、ディスプレイ内におけるカーソルの位置を監視するステップと、第１のユーザー入力が行なわれた時点でメニューを表示するステップと、メニュー内の対応するサブメニュー・リンクが選択された時点でサブメニューを表示するステップと、カーソルがディスプレイのコンテンツ部内にあってメニューが表示されていない場合、第２のユーザー入力が行なわれた時点で、最初にメニューを表示することなく、サブメニューを表示するステップとを含んでいる。
【００１２】
本開示による更なる目的および利点は、以下の記述において一部開示され、一部は記述内容から自明、あるいは実施形態の実装から学ぶことができる。本開示による目的および利点は、特に添付の請求項に示す要素および組合せを通じて実現および達成される。上述の一般的な説明および以下の詳細説明は例示的であり、あくまでも説明目的のためのものであって、特許請求の範囲に記載されたように、本発明を限定するものではない点を理解されたい。
【００１３】
本明細書に包含され、その一部を構成する添付図面は、本明細書の記述に沿ったいくつかの実施形態を説明するものであり、以下の記述と合わせて本発明の原理を説明するのに役立つ。
【発明を実施するための最良の形態】
【００１４】
実施形態の説明
本開示による例示的な実施形態について以下に詳述し、いくつかの例を添付の図面に示す。可能な限り、同一または類似部品を示すべく図面全体にわたり同一の要素番号を用いる。
【００１５】
図１に、本開示による例示的な電子機器１００の外観を示す。図１に示すように、例示的な電子機器１００は、開位置（図１Ａ）および閉位置（図１Ｂ）を有する折りたたみ式または「クラムシェル」型のｗｅｂ対応型携帯電話（サンヨー・ノースアメリカ・コーポレーション（三洋電機北米法人）が販売するモデルＭＭ−８３００マルチメディアフォン等）として構成することができる。しかし、本開示によるシステムおよび方法は、本発明の範囲から逸脱することなく、異なるハードウェアを用いて構成された電子機器でも利用できる点に留意されたい。
【００１６】
例えば、本開示によるシステムおよび方法は、ＰＤＡ、ポケットベル等の他の移動電子機器、および例えばｉＰｏｄデジタル音楽プレーヤ（アップルコンピュータ社から販売されている）等の他の携帯電子機器に適用することができる。他の適当なハードウェア・プラットフォームも当業者には明らかであろう。例えば、代替的に電子機器１００を実験器具、テレビ受像機、またはセットトップボックス（ＴｉＶｏ社から販売されているＴｉＶｏデジタル・ビデオレコーダ等の）として構成することができる。最後に、本開示によるシステムおよび方法は特に、小画面のディスプレイを備えた電子機器用途に良く適しているが、そのようなシステムおよび方法はまた、パソコンやテレビディスプレイ等の比較的大きな画面を備えた機器にも適用することができる。
【００１７】
図１Ａに示すように、例示的な電子機器１００は、マイクロフォン１１０とスピーカー１１５（アンテナ１２０を介した携帯電話通信の場合）、ディスプレイ１３０、および入力機器１４０を含んでいてよい。図１Ｂに示すように、機器１００はまた、静止またはビデオ画像を撮影するためのカメラ１５０、およびハンズフリー通信のためのスピーカーフォン１６０を含んでいてよい。
【００１８】
ディスプレイ１３０は、本開示による任意の種類のグラフィカル・ユーザー・インターフェースの表示に適したグラフィカル・ディスプレイであってよい。ディスプレイ１３０は、機器１００が開位置（図１Ａ）にある場合に稼動する主ディスプレイ１３０Ａ、およびいくつかの実施形態では、機器１００が閉位置（図１Ｂ）にある場合に稼動する、より小さい副ディスプレイ１３０Ｂ等の複数のディスプレイを含んでいてよい。主ディスプレイ１３０Ａおよび副ディスプレイ１３０Ｂの両方共に、フルカラーの（例：２６０，０００色）の能動マトリクス液晶ディスプレイを用いて実装することができる。しかし、当業者は、他の種類のディスプレイ（例：モノクロ・ディスプレイ）を用いてもよい点を理解されよう。
【００１９】
本開示による例示的な実施形態において、ディスプレイは最大寸法が５インチ未満であってよい。特に、例示的な電子機器１００におけるように、ディスプレイ１３０ＡおよびＢの両方共に最大寸法が３インチ未満であってよい。例えば、主ディスプレイ１３０Ａが２．１”薄膜トランジスタ（ＴＦＴ）ＱＶＧＡ（２４０×３２０ピクセル）ディスプレイであって、副ディスプレイ１３０Ｂが１．１”ＴＦＴディスプレイであってよい。いくつかの実施形態において、ディスプレイ１３０には、ユーザーに視覚的情報を出力すると共にユーザーから手操作入力を受けることが可能なタッチスクリーン・ディスプレイを含んでいてよい。例えば、例示的な機器１００の主ディスプレイ１３０Ａはそのようなタッチスクリーン・ディスプレイを用いて実装することができる。
【００２０】
入力機器１４０は、データまたはコマンド入力用に適合された１個以上のユーザー入力機器を用いて実装することができる。図１Ａに示すように、入力機器１４０は、片手での使用に適合されたキーパッド１４２を含んでいてよい。キーパッド１４２は、３×４個のボタンを有する英数字電話キーパッド１４２Ａを含んでいてよい。あるいは、キーパッド１４２は、フルイズのキーボード（図示しない「ＱＷＥＲＴＹ」キーボード等）を含んでいてよい。キーパッド１４２はまた、複数の電話機能入力キー１４２Ｂを含んでいてよい。例えば、図１Ａに示すように、キーパッド１４２は、電話通信を開始するための通話（または送信）キー、スピーカーフォン１６０をアクティブにするスピーカーキー、電話通信および他のアプリケーションを終了させるための終了キー、並びにカメラ１５０（図１Ａにカメラ・アイコンで示す）をアクティブにするためのキーを含んでいてよい。
【００２１】
本開示による例示的な実施形態において、キーパッド１４２はまた、複数のナビゲーション入力キー１４２Ｃを含んでいてよい。図１Ｃに示すようにナビゲーション入力キー１４２Ｃは、主ディスプレイ１３０Ａ内でカーソルの位置を決めるための方向入力キー１４４、および選択入力キー１４６を含んでいてよい。方向入力キー１４４は、上、下、左、および右方向キーを有する４方向ロッカースイッチを含んでいてよい。しかし、方向入力キー１４４が任意の適当な技術で実装できる点を理解されたい。例えば、方向入力キー１４４は、個別のボタン、ジョイスティック、タッチパッド、トラックボールまたはソニー株式会社から販売されているＪｏｇＤｉａｌ（商標）アクチュエータ等、カーソル・ナビゲーションに適した手操作入力方式により実装することができる。あるいは、ディスプレイ１３０Ａはタッチスクリーン・ディスプレイとして構成することができ、ユーザーが例えば指またはスタイラス等でディスプレイの表面に触れることによりカーソル・ナビゲーションを行なうことができる。いくつかの実施形態において、電子機器１００は、例えばマイクロフォン１１０を介して、音声命令によるカーソル・ナビゲーションを可能にするソフトウェアを含んでいてよい。
【００２２】
更に図１Ｃに示すように、ナビゲーション・キー１４２Ｃは左側ソフトキー、右側ソフトキー、およびバックキーを含んでいてよい。左側ソフトキーと右側ソフトキーの機能は、アプリケーション内におけるユーザーの位置に応じて変化する場合があり、アプリケーションにおける任意の所与の位置でこれらの機能は、例えば主ディスプレイ１３０Ａの下部にあるソフトキー・ラベル１３２によりディスプレイ上で動的に示すことができる。例えば、図１Ａに示すように、左側ソフトキーには「Ｍｅｎｕ」とラベル付けされていて、右側ソフトキーには「Ｏｐｔｉｏｎｓ」とラベル付けされている。
【００２３】
ナビゲーション・キー１４２Ｃは、異なるアプリケーションで異なる機能を実行することができ、単一のアプリケーション内の異なる位置で異なる機能を実行することができる。例示的なグラフィカル・ユーザー・インターフェース内におけるナビゲーション・キー１４２Ｃの機能を図５〜６に関して以下に記述する。
【００２４】
図２は、本開示と整合する電子機器、具体的には図１の例示的な電子機器１００の機能ブロック図である。２に示すように、例示的な電子機器１００は、プロセッサ２１０、音声インターフェース２２０、セルラトランシーバ２３０、デジタル信号プロセッサ（ＤＳＰ）２３５、低出力無線トランシーバ２４０、ポジショニング回路２５０、通信ポート２６０、ディスプレイ・インターフェース２７０、入力インターフェース２８０、およびメモリ２９０（集合的に機能要素群と呼ぶ）を含んでいてよい。しかし、当業者には例示的な電子機器１００が他の機能構成により実装可能であって、当業者は公知の他の機能要素群を含んでいても本開示から逸脱することがない点を理解されよう。
【００２５】
プロセッサ２１０は、コンピュータプログラムにより選択的に起動また設定されて、本開示による１個以上の方法を実行可能であるマイクロプロセッサまたはその他のコントローラを用いて実装することができる。図２に示すように、後述する方法に従い、プロセッサ２１０は制御機能要素群２２０〜２８０に動作可能に接続されていてよい。
【００２６】
音声インターフェース２２０は、音声通信で用いるマイクロフォン１１０、スピーカー１１５、および／またはスピーカーフォン１６０を駆動させるための適当なドライバを含んでいてよい。いくつかの実施形態において、プロセッサ２１０は、音声起動による通信、例えば音声インターフェース２２０を介した命令の音声認識を可能にするアプリケーションを含んでいてよい。
【００２７】
セルラトランシーバ２３０は、ＲＦ通信信号を送受信すべくアンテナ１２０に動作可能に接続されていてよい。例えば、セルラトランシーバ２３０は、デジタルおよび／またはアナログの携帯電話通信および／またはデータ信号を送受信すべく動作可能なＣＤＭＡ、ＴＤＭＡ、および／またはＧＳＭ互換トランシーバを用いて実装することができる。
【００２８】
ＤＳＰ２３５は、デジタル信号の通信を可能にすべくプロセッサ２１０とトランシーバ２３０との間に動作可能に接続されていてよい。ＤＳＰ２３５は、セルラトランシーバ２３０を介して受信したデジタル通信信号を復号または別途処理することができると共に、トランシーバ２３０により送信すべき信号を符号化する。例えば、ＤＳＰは、音声インターフェース２２０から受信したアナログ音声信号をデジタル符号化することができる。
【００２９】
低出力無線トランシーバ２４０は、低出力無線デバイスとの通信を可能にすべく動作可能であってよい。例えば、低出力トランシーバ２４０は、機器１００がＢｌｕｅｔｏｏｔｈ（商標）、ＩＥＥＥ８０２．１１、赤外線その他の低出力無線通信プロトコルを用いて例えばヘッドセット、キーボード、プリンタ等と通信可能なように構成することができる。
【００３０】
ポジショニング回路２５０は、電子機器１００の地理的位置に関する情報を提供すべく動作可能であってよい。例えば、ポジショニング回路２５０は、全地球測位システム（ＧＰＳ）または無線基地局２１４により提供された複数の信号を受信し、当該信号の三角測量に基づいて機器１００の位置を計算することができる。
【００３１】
通信ポート２６０は、プロセッサ２１０とパソコン等の他の電子機器との間に有線通信リンクを提供することができる。通信ポート２６０は、ＵＳＢ、ＲＳ−２３２その他の標準等、任意の適当な有線通信プロトコルを用いて実装することができる。
【００３２】
ディスプレイ・インターフェース２７０は、プロセッサ１１０が提供した制御信号に従いグラフィックスおよび／またはビデオディスプレイを出力すべくディスプレイ１３０を駆動するための適切なドライバを含んでいてよい。入力インターフェース２８０は、入力機器１４０（例えばキーパッド１４２）から、プロセッサ２１０による解釈に適した形式で受信した入力を符号化する適当なエンコーダを含んでいてよい。
【００３３】
メモリ２９０は、プロセッサ２１０に動作可能に接続された適当なコンピュータ可読媒体を用いて実装することができる。本開示に従い、コンピュータ可読媒体は、本開示による方法を実行すべくプロセッサ１１０で用いる情報を格納可能な読出し専用メモリ（ＲＯＭ）、ランダムアクセス・メモリ（ＲＡＭ）等、任意の種類のメモリであってよい。例えば、コンピュータ可読媒体は、物理媒体（例：穿孔カード）、磁気媒体（例：磁気ディスクまたはテープ）、光学式媒体（例：光ディスク）、あるいは搬送波（例：無線ネットワークまたはインターネット等のコンピュータ・ネットワーク）等を用いて実装することができる。
【００３４】
図２に示すように、メモリ２９０は、着脱可能メモリ要素２９０Ａ、および加入者識別モジュール（ＳＩＭ）２９０Ｂを含んでいてよい。着脱可能メモリ２９０Ｂは、例えばカメラ１５０を用いて撮影された静止写真および／またはビデオを格納するために、コンパクト・フラッシュ・メモリスティックまたはカード（例：ｍｉｎｉＳＤ着脱可能メモリカード）を含んでいてよい。ＳＩＭ２９０Ｂを用いて、無線サービスプロバイダに電子機器１００を識別させることにより、ユーザーが電子機器１００を介した自分が加入しているサービスにアクセスすることができる。ＳＩＭ２９０Ｂは、加入者を識別すべく、国際移動加入者識別（ＩＭＳＩ）番号等、各加入者に固有の識別子を含んでいてよい。
【００３５】
本開示に従い、メモリ２９０はまた、本開示による方法を実行すべくプロセッサ２１０を設定するためのソフトウェアおよび／またはデータを格納するためのシステム・メモリ２９０Ｃを含んでいてよい。図２に示すように、システム・メモリ２８０Ｃは、オペレーティングシステム（ＯＳ）２９２および１個以上のソフトウェア・アプリケーション２９４を格納することができる。オペレーティングシステム２９２は、アプリケーション２９４の開始および動作と共に、機能要素群２１０〜２９０の基本的な動作を制御することができる。例えば、オペレーティングシステム２９２は、（マイクロソフト社およびシンビアンＰＬＣから各々販売されている）スマートフォンまたはシンビアン・オペレーティングシステム、または電子機器１００の特定の構成に適した他の何らかのオペレーティングシステムを用いて実装することができる。
【００３６】
ソフトウェア・アプリケーション２９４は、機能要素群２１０−３９０の動作を制御する１個以上のプログラムを含んでいてよい。例えば、アプリケーション２９４は、ショートメッセージサービス（ＳＭＳ）、拡張メッセージサービス（ＥＭＳ）、またはマルチメディア・メッセージサービス（ＭＭＳ）プロトコル等に従いデータを送信および／または受信するアプリケーションを含んでいてよく、また、インターネットにアクセスするためのＥＶＤＯ、ＷＡＰ、またはｉモードモバイル機器プロトコルに従いデータおよび／またはアプリケーションを送信および／または受信するアプリケーションを含んでいてよい。
【００３７】
特に、アプリケーション２９４は、本開示による１個以上の方法を実行するナビゲーション・インターフェース６００を含んでいてよい。例示的なナビゲーション・インターフェース６００について図６に関して後述する。
【００３８】
本発明の例示的な実施形態において、ナビゲーション・インターフェース６００は、移動通信ネットワークを介した電子機器１００にアクセス可能なコンテンツをナビゲートすべく構成することができる。図３に、本開示による例示的な移動通信ネットワーク３００の機能ブロック図を示す。図３に示すように、移動通信ネットワーク３００は、無線サービスプロバイダ３１０およびコンテンツ・プロバイダ３２０を含んでいてよい。
【００３９】
無線サービスプロバイダ３１０は、例示的な機器１００等の移動電子機器のユーザーに携帯電話通信またはその他のデジタル通信サービスを提供することができる。無線プロバイダ３１０は、携帯電話サービスプロバイダ（スプリント・ネクステル社等）、個人通信サービス（ＰＣＳ）サービスプロバイダ、または他の無線サービスのプロバイダであってよい。無線プロバイダ３１０は、基地局３１４の無線サーバ３１２およびネットワークを運用していてよい。図３に示すように、例示的な機器１００は「クライアント−サーバ」ソフトウェア・アーキテクチャを用いて、基地局３１４経由で無線リンク３１６を介して無線サーバ３１２と通信することができる。
【００４０】
コンテンツ・プロバイダ３２０は、デジタルコンテンツのインターネット・サービスプロバイダ（ＩＳＰ）またはその他のプロバイダであってよい。コンテンツ・プロバイダ３２０は、コンピュータ可読媒体に保存されているデジタルコンテンツ４００へのアクセスを提供するためにコンテンツサーバ３２２を運用することができる。サービスプロバイダ３１０は、ＷＡＰゲートウェイ、ソケット接続等、任意の適当な通信リンク３２４を介してコンテンツ・プロバイダ３２０に接続することができる。
【００４１】
本開示による例示的な実施形態において、無線サービスプロバイダ３１０は、通信リンク３２４を介してコンテンツサーバ３２２からデジタルコンテンツを取得し、無線リンク３１６を介して当該コンテンツを例示的な機器１００に提供することができる。しかし、本開示はそのような構成に限定されず、機器１００が他の機構によりコンテンツ４００を取得できる点を理解されたい。例えば、機器１００は、地上線によりコンテンツ・プロバイダ３２０に接続することができ、いくつかの実施形態において、コンテンツ４００の一部または全部を電子機器１００のメモリ（例：システム・メモリ２９０Ｃ）に格納することができる。
【００４２】
コンテンツ・プロバイダ３２０から提供されるコンテンツ４００は、ニュース、天気、株価速報、地域コンテンツ等、例示的な機器１００等の移動電子機器を用いたアクセスに適した任意の種類のコンテンツであってよい。本開示による例示的な実施形態において、コンテンツはモバイルＥＳＰＮ（商標）から提供されるスポーツ関連コンテンツであってよい。
【００４３】
図４に、本開示によるアプリケーションの例示的なコンテンツ４００の項目マップ４０５を示す。マップ４０５の各小ブロックはコンテンツページ４１０を表わす。頻繁に使用されるコンテンツページをアイコン４１５で示すことができる。大ブロック４２０は最上位メニュー・アプリケーションを表わす。例示的なマップ４０５の各ページ４１０のコンテンツはタイトルで記述されている。例示的なアプリケーション・マップ４０５において、コンテンツは、リアルタイムスコア、スポーツ関連ニュース、解説、ビデオおよび統計、フトウェア・アプリケーション、例えば架空のスポーツ・チームの管理その他のスポーツ関連コンテンツ等、モバイルＥＳＰＮから提供されるスポーツ関連コンテンツに対応している。しかし、図４のマップで例示するコンテンツは専ら説明目的で使用されていて、本開示によるシステムおよび方法はいかなる特定の種類またはカテゴリのコンテンツに限定されない点を理解されたい。
【００４４】
コンテンツページ４１０は、テキスト、リンク、グラフィックス、画像および／またはビデオコンテンツを含んでいてよい。図５に、例示的な画面表示５１０に表示できるような例示的なアプリケーション・マップ４０５の例示的なコンテンツページ４．３（「ビデオハイライト（スポーツ）」）を示す。例示的な画面表示５１０は、例えば例示的な機器１００の主ディスプレイ１３０Ａに表示することができる。
【００４５】
図５に示すように、画面表示５１０は、状態部５１２、コンテンツ部５１４、メッセージ部５１６、およびソフトキー部５１６を含んでいてよい。状態部５１２を用いて機器１００の構成要素またはアプリケーションの状態を示すことができる。例えば、状態部５１２は、現在のセルラ信号強度および／または電池出力を表わすアイコンおよび／またはテキスト、メッセージ待ちインジケータ等を示すことができる。コンテンツ部５１４を用いてコンテンツページ４．３（図に示すような）等のアプリケーション・コンテンツページ４１０を表示することができる。メッセージ部５１６を用いてショートテキストメッセージ、例えばスクロールする株式銘柄表示板または回転式スポーツスコア（図５に示すような）等を表示することができる。ソフトキー部５１６を用いてナビゲーション・インターフェース６００内の左側ソフトキーおよび右側ソフトキーの現在の機能を示すことができる。例えば図５に示すように、左側ソフトキーの機能が「Ｍｅｎｕ」とラベル付けされていて、右側ソフトキーの機能が「Ｏｐｔｉｏｎｓ」とラベル付けされている。
【００４６】
本開示による例示的な実施形態において、画面部５１２〜５１８の位置および寸法は、ナビゲーション・インターフェース６００全体にわたり保持されていてよい。すなわち、ユーザーがアプリケーション内のどこにいるに拘わらず、状態、メッセージ、ソフトキーおよびコンテンツ部５１２〜５１８はディスプレイ１３０Ａに自身の位置および寸法を保持することができる。
【００４７】
図６に、図４のコンテンツ４００をナビゲートするための例示的なナビゲーション・インターフェース６００の複数の画面表示を示す。例示的なナビゲーション・インターフェース６００の動作について図６を参照しながら以下に述べる。
【００４８】
本開示によるいくつかの実施形態において、ナビゲーション・インターフェース６００は、ユーザーにより選択的に起動されるべく構成されていてよい。このような実施形態において、ＯＳ２９２は、ユーザーにより適切なコマンドが入力された時点でナビゲーション・インターフェース６００を起動することができる。本開示による例示的な実施形態において、例えば、ナビゲーション・インターフェース６００は、ＯＳ２９２のアイドル状態画面から上方入力操作を行なうことにより選択的に起動することができる。代替的な実施形態において、ナビゲーション・インターフェース６００は、機器１００の立ち上げ時にＯＳ２９２により自動的に起動することができる。例えば、ＯＳ２９２は、電子機器１００の既定グラフィカル・ユーザー・インターフェースとしてナビゲーション・インターフェース６００を起動すべく設定することができる。
【００４９】
ナビゲーション・インターフェース６００が起動された時点で、コンテンツ・プロバイダ３２０から頻繁に使用されるデータまたはコンテンツを取得することができる。例えば、ナビゲーション・インターフェース６００は、無線リンク３１６を介してコンテンツサーバ３２２から特定のデータを取得すべく無線サーバ３１２との無線リンク３１６を確立することができる。本開示による例示的な実施形態において、例えば、ナビゲーション・インターフェース６００は、無線リンク３１６を介してコンテンツサーバ３２２へクエリーを送信することができる。クエリーにおいて、ナビゲーション・インターフェースはコンテンツサーバ３２２に識別子を渡すことができる。例えば、識別子はＳＩＭ  ２９０Ｂに格納されたＩＭＳＩ番号であってよい。しかし、クエリーが加入者から送られたことを確認するのに十分である任意の識別子を用いることができる。
【００５０】
コンテンツサーバ３２２は次いで、識別子がアプリケーション４０５の加入者に対応するか否かを判定し、対応する場合、加入者のアクセスレベル（例：加入者が基本または高次のアクセス権を有するか否か）を判定することができる。当該識別子が加入者に対応していないとコンテンツサーバ３２２が判定した時点で、コンテンツサーバ３２２はアプリケーションコンテンツ４００へのアクセスを拒否することができる。逆に、識別子がアプリケーションの加入者に対応するとコンテンツサーバ３２２が判定した時点で、コンテンツサーバは特定の開始コンテンツを電子機器１００へ送信することにより応答することができる。
【００５１】
頻繁に使用されるコンテンツをナビゲーション・インターフェース６００がユーザーに素早く提示できるようにすべく、コンテンツサーバ３２２は例えば、初期クエリーに応答して開始コンテンツページおよび／または他の人気のコンテンツの表示に必要なデータを送信することができる。コンテンツサーバ３２２はまた、加入者が頻繁に閲覧したコンテンツに関連するデータを送信することができる。例えば、例示的なモバイルＥＳＰＮ（商標）アプリケーション４０５において、ナビゲーション・コンテンツサーバ３２２は、先頭見出し、スポーツ固有の見出し、およびスコアボード等、頻繁に使用されるコンテンツページ４１５の表示に必要な他の時間依存型コンテンツだけでなく、開始コンテンツページ２．１（「ニュース−一面記事」）の最新版を送信することができる。コンテンツサーバ３２２はまた、加入者の贔屓チームに関連する見出しを送信することができ、更に、贔屓チーム、選手、および／またはスポーツ解説者の属性等、加入者の個人化設定に関連するデータをダウンロードすることもできる。あるいは、ナビゲーション・インターフェースは、そのような個人データのコピーを電子機器１００のシステム・メモリ２９０Ｃ内に保持することができる。
【００５２】
開始コンテンツを受信した時点で、ナビゲーション・インターフェースはそのようなコンテンツのコピーを、例えばシステム・メモリ２９０ＣのＲＡＭ部分に保存することができる。ナビゲーション・インターフェース６００は次いで、開始コンテンツを用いて開始画面を表示することができる。
【００５３】
図６Ａに、アプリケーション４０５の例示的な開始画面６１０を示す。図６Ａに示すように、開始画面６１０のコンテンツ部５１４は、開始コンテンツページ２．１（「ニュース−一面記事」）で埋められる。本開示による例示的な実施形態において、開始画面６１０はまた、頻繁に使用されるコンテンツページ４１５とアプリケーション・マップ４０５の最上位メニュー４２０との間をナビゲートするために利用できるメニューホイール６２０を表示する。
【００５４】
図６Ｂに示すように、メニューホイール６２０は、複数のパネル６２２を含んでいてよい。ホイール６２０の各パネル６２２は、アプリケーション・マップ４０５内で頻繁に使用される機能またはコンテンツページ４１５へのリンクを含んでいてよい。特に、メニューホイール６２０は、最上位メニュー４２０へのリンクを提供するパネル６２２ａを含んでいてよい。図６Ｂに示すように、各パネル６２２は、リンクの選択により取得できる機能またはコンテンツを記述または象徴するアイコンおよび／またはテキストを表示することができる。
【００５５】
図６Ａに示すように、メニューホイール６２０は、例示的な画面表示６１０のコンテンツ部５１４に表示されたコンテンツに重なるように見える単一カラム６２４に表示することができる。例示的なナビゲーション・インターフェース６００において、メニューホイール６２０は、コンテンツ部５１４の左端側に重なっている。しかし、メニューホイール６２０が本開示による範囲を逸脱することなく、画面表示内の他の位置、例えばコンテンツ部５１４の他の辺に沿って、またはコンテンツ部５１４内の他の任意の位置に配置ができることを理解されたい。
【００５６】
メニューホイール６２０は、任意の数のパネル６２２（図６Ｂ参照）を有していてよい。しかし、図６Ａに示すように、コンテンツ部５１４の大きさおよび／またはディスプレイ１３０Ａの解像度に応じて、表示されるパネル６２２の読みやすさを維持すべく、同時に表示されるパネル６２２の数をナビゲーション・インターフェース６００が制限できる。表示されていないパネル６２２は、回転により視界から外れたものと見なすことができる。
【００５７】
メニューホイール６２０は後述するように、ユーザーにより選択的にアクティブ（表示）、非アクティブ（隠蔽）することができる。メニューホイール６２０が表示されている場合、コンテンツ部５１４内に表示されるコンテンツページ４１０は明るさを下げて（例：５０％）表示することができる。例示的なナビゲーション・インターフェース６００において、立ち上げ時等、メニューホイール６２０が停止状態からアクティブにされる場合は常にデフォルトでカーソルのフォーカスをメニューホイール６２０に合わせることができる。カーソルのフォーカスがホイール６２０に合わせられている場合、ホイール６２０の１個のパネル６２２を強調表示してカーソルの位置を示すことができる。例示的な実施形態において、パネル６２２ｂ（開始コンテンツページ２．１に対応）は、立ち上げ時にデフォルトで強調表示することができる。
【００５８】
強調表示されたパネル６２２ｂは、任意の適当な方法で示すことができる。例示的な開始画面６１０において、強調表示されたパネル６２２ｂはパネルを囲む強調表示フレーム６２６により示される。図６Ａに示すように、カーソルのフォーカスがメニューホイール６２０に合わせられている場合、強調表示フレーム６２６を比較的明るい色（例示的な実施形態では黄色）で表示することができる。また、強調表示されたパネル６２２ｂは、残りのパネル６２２に比べてより明るく表示することができる。また、メニューホイール６２０に３次元ホイールの外観を与えるべく、残りのパネル６２２の明るさをカラム６２４の表示部分の両端に向かって次第に暗くすることができる。
【００５９】
メニューホイール６２０がアクティブである（すなわち、カーソルのフォーカスがホイールに合わせされている）場合、ユーザーは適当な入力を行なうことにより、（例えばコンテンツ部５１４に表示されているコンテンツページを閲覧するために）ホイールを非アクティブ、または隠蔽することができる。例示的な実施形態において、ユーザーは例えば、右方向の入力を行なうことによりホイールを非アクティブにさせることにより、すなわちホイール６２０からコンテンツ部５１４の方向へカーソルを移動させることができる。図６Ｃに、結果的に生じる画面表示を示す。非アクティブにされた時点で、強調表示フレーム６２６の色が比較的鈍い色（例示的な実施形態ではマルーン）に変えることができ、メニューホイール６２０は、スライドするかまたは画面で逆方向、すなわち例示的な実施形態では左の方へ、引き込まれるように見えるようにアニメーション化することができる。次いで、表示されたコンテンツページ２．１をユーザーが閲覧できるようにコンテンツ部５１４の明るさを通常レベルに戻すことができる。メニューホイール６２０が非アクティブにされた場合、フレーム６２６のタブ部６２６ａが、ディスプレイのコンテンツ部６１４においてメニュー・ホイール６２０機能の利用可能性の合図として、可視のままであってよい。
【００６０】
メニューホイール６２０が非アクティブにされた場合、カーソルのフォーカスはコンテンツ部５１４内に、最上位リンク（そのようなリンクが存在する場合）に合わせられていてよい。ユーザーは次いで、方向入力キー１４４を用いてコンテンツ部５１４内をナビゲートすることができる。例えば、図６Ｄの例示的な開始ページ２．１に入るべくメニューホイールを非アクティブにした時点で、カーソルのフォーカスは、最上位左側リンク２．１ａ．に合わせられていてよい。カーソルの位置は任意の適当な方法（例：図６Ｄに示すように、リンク２．１ａ内のテキストをブロック強調表示する）により示すことができる。ユーザーは、選択入力を行なうことによりリンクを開くことができる。あるいは、ユーザーは、ドロップダウン・メニュー４１２までナビゲートすべく上方向入力を行なうか、または残りのテキストリンク２．１ｂ内を「＋更に多く」とラベル付けされたリンクまでナビゲートすべく一連の下方向入力を行なうことにより、例えば例示的なコンテンツページ２．２（「ニュース−２ページ目」）へのリンクを提供することができる。
【００６１】
メニューホイール６２０が非アクティブにされている場合、ユーザーは適当な入力を行なうことによりアクティブモードに戻すことができる。例示的な実施形態において、ユーザーは例えば、コンテンツ部５１４からタブ６２６ａの方向へ、すなわち停止入力から逆方向にカーソルを移動させるようにコンテンツ部５１４内の最左端の位置から左方向入力を行なうことにより、ホイールを再びアクティブにすることができる。ナビゲーション・インターフェース６００は、コンテンツ部内のカーソルの移動を監視して、方向入力キーによってカーソルがコンテンツ部の境界外まで移動した場合、メニューホイール６２０をアクティブにすることができる。
【００６２】
アクティブにする時には、コンテンツ部５１４の明るさが再び減少し、強調表示フレーム６２６のタブ部６２６ａの色が比較的明るい色（上の例では黄色）に戻る場合がある。ホイール６２０は次いで、左側から画面にスライドして現われて、カーソルのフォーカスがホイール（フレーム６２６により強調表示されている）に合わせられるようにアニメーション表示することができる。画面表示は再び図６Ａに示すように現われる。上述のように（方向入力キーを用いて）メニューホイール６２０がアクティブにされた場合、メニューホイール６２０が非アクティブにされた際にどのパネル６２２が強調表示されていたかには無関係に、デフォルト・パネル６２２ｂが強調表示されてよい。
【００６３】
カーソルのフォーカスがメニューホイール６２０に合わせられている場合、ユーザーはまた、例えばホイールの所望の回転方向（例示的な実施形態では上または下）に方向キーを押下することにより、適当な入力を行なうことにより、ホイール６２０のパネル６２２回りをナビゲートすることができる。コンテンツ部５１４内におけるフレーム６２６の位置は静止したままであり、パネル６２２は、ユーザーが選択した方向に回転するように見えるようにアニメーション表示される。パネル６２２はホイール６２０の回り（図６Ｂの破線で示すように）を巻いて、図６Ｂの最上位パネル６２２ｃが最下位パネル６２２ｄに続いて、およびその逆の順序でも表示される。その結果、パネル６２２は一方向に向けられた方向入力キーを用いて繰り返しナビゲート可能である。所望のリンクを提供するパネルがフレーム６２６で現われた場合、ユーザーは適当な入力（例示的な実施形態では選択入力）を行なうことによりリンクを開くことができる。この選択の結果は、選択されたパネルがコンテンツページ４１０またはメニュー、例えば最上位メニュー４２０に対応するか否かに依存する場合がある。
【００６４】
選択されたパネル６２２がコンテンツページに対応する場合、メニューホイール６２０は上述の図６Ｃに関して述べたように非アクティブにすることができる。ナビゲーション・インターフェース６００は次いで、要求されたコンテンツページをシステム・メモリ２９０Ｃ内で検索することができる。要求されたコンテンツページがシステム・メモリ２９０Ｃ内で見つからなかった場合、ナビゲーション・インターフェースは上述のようにコンテンツサーバ３２２からページを要求することができる。要求されたページをシステム・メモリ２９０Ｃまたはコンテンツサーバ３２２のいずれかから取得した時点で、ナビゲーション・インターフェースは、カーソルのフォーカスがコンテンツページの最上位リンク（存在すれば）に合わせられた状態で、コンテンツ部５１４にページを表示することができる。結果的に得られた画面は図６Ｃのように見える。
【００６５】
選択されたパネル６２２がメニューに対応する場合、リンクが選択された時点でメニュー・ボックスを表示することができる。図６Ｄにおいて、ユーザーは例えば、上述のようにメニューホイール６２０を回転させて最上位メニューパネル６２２ａを強調表示させて、選択入力１４６を押下することにより、メニュー・ボックス６３０を開いている。メニュー・ボックス６３０は、トレイル部６３２およびリンク部６３４を含んでいてよい。トレイル部６３２を用いて、メニュー階層内における現在のメニュー位置を示す「ブレッドクラムトレイル」を提供することができる。リンク部６３４は、サブメニューまたはコンテンツページ４１０のいずれかに接続する１個以上のリンクボタン１〜１０を含んでいてよい。例えば図６Ｄに示すように、リンク部６３４は、リンクボタン１〜１０の２個のカラムを含んでいてよい。リンクボタン１〜１０は、使用頻度に応じてアプリケーション開発者が設定できるものであり、リンクボタン１が最も頻繁に使用されるリンク（図６Ｅの例示的なメニュー「スポーツ」）に対応する。
【００６６】
メニュー・ボックス６３０は、フレーム６２６の右側のコンテンツ部５１４に重なるように開くことができる。メニュー・ボックス６１６を開いた場合、強調表示フレーム６２６の色が比較的鈍い色（例示的な実施形態ではマルーン）に変わり、カーソルのフォーカスがフレーム６２６に最も近いリンク、すなわち図６Ｅの例示的な画面表示では左上のリンク（リンクボタン１、「スポーツ」）に合わせられていてよい。カーソルの位置は、図６Ｄに示すように、例えばリンクボタンの境界の色を比較的明るい色に変えることにより、任意の適当な方法で示すことができる。
【００６７】
ユーザーが、例えば異なるパネル６２２を選択するためにメニューホイール６２０に戻りたい場合、ユーザーは所望のパネルへナビゲートすべくカーソルのフォーカスをホイール６２０に戻すことができる。例示的な実施形態において、これはカーソルのフォーカスがメニュー・ボックス６３０の左側のいずれかのリンク（リンクボタン１、３、５、７および９）に合わせられている場合に、例えば左方向入力を行なうことにより、メニュー・ボックス６３０のメニューホイール６２０側のいずれかのリンクのからホイール６２０の方向へカーソルを移動させることで実現できる。あるいは、ユーザーはバックナビゲーション入力を行なうことにより、カーソルのフォーカスをホイール６２０に戻すことができる。メニュー・ボックス６３０が閉じ、ユーザーは次いで上述のようにホイール６２０の回りをナビゲートすることができる。別の代替的方法として、ユーザーは、方向入力キー１４４を用いて、または英数字キーパッド１４０Ａ上の所望のリンクボタン（１〜１０）に対応する番号を入力することにより、リンク関連１〜１０の中で強調表示されたカーソルをナビゲートすることができる。所望のリンクを提供するリンクボタンが強調表示されている場合、ユーザーは選択入力を行なうことによりリンクを開くことができる。
【００６８】
選択されたパネル６２２がコンテンツページに対応する場合、ナビゲーション・インターフェース６００は、メニューホイール６２０を非アクティブさせて、上述のように要求されたコンテンツページを表示することができる。選択されたリンクボタンがサブメニューに対応する場合、サブメニュー・ボックスは開くことができる。例えば図６Ｅは、最上位メニュー４２０内のスポーツサブメニューが選択された場合に表示可能なサブメニュー・ボックス６４０を示す。図６Ｅに示すように、サブメニュー・ボックス６４０は、フレーム６２６の右側に開く（メニュー・ボックス６３０を置換して）ことができる。サブメニュー・ボックス６４０は、メニュー・ボックス６３０の対応部分と同様にトレイル部６４２およびリンク部６４４を含んでいてよい。
【００６９】
サブメニュー６４０のトレイル部６４２は、先のメニュー（「最上位」）へのリンク６４２ａを含んでいてよい。サブメニュー・ボックス６４０が開く際に、カーソルのフォーカスは上述のようにメニュー・ボックス６３０の左上リンクに合わせられていてよい。ユーザーは、メニュー・ボックス６３０のリンク部６３４と同様にサブメニュー・ボックス６４０のリンク部６４４をナビゲートすることができる。ユーザーはまた、リンク部６４４の最上位リンク（図６Ｅのリンクボタン１、２）のいずれかから上方向キーを押下することにより、トレイル部６４２へナビゲートすることができる。カーソルのフォーカスは次いで、トレイル部にリストされる右端の（最下位レベル）メニュー（図６Ｅのスポーツ）に合わせられる。カーソルの位置は、例えばテキストの色を変えることにより示すことができる。ユーザーは次いで、カーソルにより所望のリンクを強調表示させて選択を押下することにより、先のメニュー（最上位）へナビゲートすることができる。次いで、選択されたメニューに対応するメニュー・ボックスが上述のように開く。
【００７０】
ナビゲーション・インターフェース６００はまた、ユーザーが最上位メニュー機能４２０へ素早くアクセスできるようにする「メニュー」入力を提供することができる。例示的な実施形態において、この機能は例えば、左側ソフトキー（図５、６Ａ、６Ｃおよび６Ｅのソフトキー・ラベル部５１８に示すように）に割り合わせることができる。メニュー入力により実行される機能は、コンテンツ部５１４の状態に基づいて変わり得る。
【００７１】
コンテンツ部が最上位メニューを表示している場合、メニュー入力が禁止される場合がある。例えば図６Ｄに示すように、最上位メニュー４２０が表示されている場合、左側ソフトキーは何らの機能を有しない。コンテンツ部がサブメニューを表示している場合、図６Ｄに示すように、「メニュー」入力を行なうことにより最上位メニューを開くことができる。
【００７２】
コンテンツ部がコンテンツページを表示している場合、「メニュー」入力が選択された時点で、ナビゲーション・インターフェース６００は、表示されている特定のコンテンツページ４１０と文脈的に関連するメニューまたはサブメニューを開くことができる。例えば、ナビゲーション・インターフェース６００は、メニューまたはサブメニューをアプリケーション４０５内のコンテンツページの一部または全部と対にするデータベースを、例えばシステム・メモリ２９０Ｃに保持することができる。あるいは、データベースはコンテンツサーバ３２２により保持されて、ナビゲーション・インターフェースがコンテンツサーバ３２２への適当な質問を介して関連するメニューまたはサブメニューの識別情報を取得することができる。
【００７３】
対応するメニューまたはサブメニューの識別情報を取得した時点で、ナビゲーション・インターフェースは、図６Ａに関して上述したようにメニューホイール６２０をアクティブにすることができる。しかし、方向入力キーを用いて起動された場合のようにデフォルト・メニューパネル６２２ｂを強調表示するのではなく、最上位メニューパネル６２２ａが強調表示されるまで回転するようにホイール６２０をアニメーション表示してもよい。ナビゲーション・インターフェース６００は次いで、図６ＤおよびＥに関して上述したように適当なメニュー・ボックス６３０またはサブメニュー・ボックス６４０を開くことができる。サブメニュー・ボックス６４０が表示する場合、ナビゲーション・インターフェース６００は直接、すなわち邪魔になるメニュー・ボックス６３０またはサブメニュー・ボックス６４０を一切表示することなく、サブメニュー・ボックスを開いてもよい。
【００７４】
上述のように、本開示によるシステムおよび方法は、ディスプレイ画面の大きさまたは機器に存在するユーザー入力機器の種類に関係なく、広範なコンテンツを跨る直観的なナビゲーションを提供する。更に、本開示によるナビゲーション・インターフェースにより、ユーザーが方向入力キーだけを用いて複雑なメニュー構造をアクティブ、非アクティブ、およびナビゲートできるようにする。本開示の別の実施形態は、本明細書を考慮して本開示による概念を実施することにより当業者には明らかであろう。明細書および実施形態例はあくまでも例示を目的とし、本発明の真の範囲および概念は添付の特許請求の範囲に示すことを意図している。
【図面の簡単な説明】
【００７５】
図面の簡単な説明
【図１Ａ】本開示と整合する例示的な電子機器の外観を示す。
【図１Ｂ】本開示と整合する例示的な電子機器の外観を示す。
【図１Ｃ】本開示と整合する例示的な電子機器の外観を示す。
【図２】図１の例示的な電子機器の機能ブロック図である。
【図３】本開示と整合する例示的な移動通信ネットワークの機能ブロック図を示す。
【図４】本開示と整合するアプリケーションの例示的なコンテンツの項目マップを示す。
【図５】本開示と整合するグラフィカル・ユーザー・インターフェースの例示的な画面表示を示す。
【図６Ａ】本開示と整合する例示的なナビゲーション・インターフェースの複数の画面表示を示す。
【図６Ｂ】本開示と整合する例示的なナビゲーション・インターフェースの複数の画面表示を示す。
【図６Ｃ】本開示と整合する例示的なナビゲーション・インターフェースの複数の画面表示を示す。
【図６Ｄ】本開示と整合する例示的なナビゲーション・インターフェースの複数の画面表示を示す。
【図６Ｅ】本開示と整合する例示的なナビゲーション・インターフェースの複数の画面表示を示す。
【図１Ａ】
2009509268.tif 000002
【図１Ｂ】
2009509268.tif 000003
【図１Ｃ】
2009509268.tif 000004
【図２】
2009509268.tif 000005
【図３】
2009509268.tif 000006
【図４】
2009509268.tif 000007
【図５】
2009509268.tif 000008
【図６Ａ】
2009509268.tif 000009
【図６Ｂ】
2009509268.tif 000010
【図６Ｄ】
2009509268.tif 000011
【図６Ｅ】
2009509268.tif 000012